(57)【特許請求の範囲】
【請求項１】
配下に形成された位置登録エリアに位置し得る端末について、個別に位置する位置登録エリアを示す位置情報と認証の基準である認証情報とが格納された記憶手段と、
異なるホームメモリノード装置と共に構成される冗長系の現用系と待機系との何れとして自局が稼働すべきかを識別し、待機系として稼働する期間には、その異なるホームメモリ局装置によって所定の頻度で与えられる位置情報と認証情報との前記記憶手段に対する反映を図るデータベース保守手段と、
前記端末の内、呼が生起した被認証端末について、識別情報および認証キーに併せて、その端末に先行して生起した呼の履歴を示す新たな履歴情報がその呼の呼設定の手順に基づいて与えられたときに、その被認証端末に先行して生起した呼の履歴を示す既得履歴情報の要求を配下のＶＬＲに順次あるいは並行して発する呼履歴要求手段と、
前記呼履歴要求手段によって発せられた要求に応じて、前記配下のＶＬＲの何れかによって前記既得履歴情報が与えられたときに、その既得履歴情報と前記新たな履歴情報との相関と、前記記憶手段に格納された認証情報と前記認証キーとの相関とをとり、これらの結果に基づいて前記被認証端末の認証を行う認証手段と
を備えたことを特徴とするホームメモリノード装置。
【請求項２】
配下に形成された位置登録エリアに位置し得る端末について、個別に位置情報が格納された記憶手段と、
異なるホームメモリノード装置と共に構成される冗長系の現用系と待機系との何れとして自局が稼働すべきかを識別し、待機系として稼働する期間には、その異なるホームメモリ局装置によって所定の頻度で与えられる位置情報の前記記憶手段に対する反映を図るデータベース保守手段と、
前記端末の内、呼が生起した特定の端末の位置情報がその呼の呼設定の手順に基づいて与えられたときに、その位置情報との整合を図ることの要求を配下のＶＬＲ宛に順次あるいは並行して発する位置情報整合要求手段と
を備えたことを特徴とするホームメモリノード装置。
【請求項３】
請求項１または請求項２に記載のホームメモリノード装置において、
呼設定を行う交換局と、配下のＶＬＲの内、その交換局に連係するＶＬＲとの双方あるいは何れか一方宛に、要求が発せられるべきＶＬＲの組み合わせもしくは数に適応した時間に亘って、その呼設定の中断の見合わせを要求する待機要求手段を備えた
ことを特徴とするホームメモリノード装置。
【請求項４】
請求項１に記載のホームメモリノード装置において、
データベース保守手段は、
位置情報と認証情報とに併せて、自局が待機系として稼働していることを示す待機系識別子との記憶手段に対する反映を併せて図り、
呼履歴要求手段は、
配下のＶＬＲの内、前記データベース保守手段によって前記待機系識別子と共に前記記憶手段に反映された位置情報に対応するＶＬＲを特定し、そのＶＬＲ以外のＶＬＲ宛に既得履歴情報の要求を発する
ことを特徴とするホームメモリノード装置。
【請求項５】
配下に形成された位置登録エリアに位置し得る端末について、個別に位置する位置登録エリアを示す位置情報と認証の基準である認証情報とが格納された記憶手段と、
異なるホームメモリ局装置によって所定の頻度で与えられる位置情報と認証情報との前記記憶手段に対する反映を図るデータベース保守手段と、
前記端末の内、呼が生起した被認証端末について、識別情報および認証キーに併せて、その端末に先行して生起した呼の履歴を示す新たな履歴情報がその呼の呼設定の手順に基づいて与えられたときに、配下のＶＬＲに、所定の時間を含み、その被認証端末に先行して生起した呼の履歴を示す既得履歴情報の要求を発する呼履歴要求手段と、
前記呼履歴要求手段によって発せられた要求に応じて、前記配下のＶＬＲの何れかによって前記既得履歴情報が与えられたときに、その既得履歴情報と前記新たな履歴情報との相関と、前記記憶手段に格納された認証情報と前記認証キーとの相関とをとり、これらの結果に基づいて前記被認証端末の認証を行う認証手段と
を備えたホームメモリノード装置において、
前記認証手段は、
前記配下のＶＬＲの何れかから与えられた要求に応じて、その要求に含まれる時間に亘って認証処理の打ち切りを保留する
ことを特徴とするホームメモリノード装置。
【請求項６】
配下に形成された位置登録エリアに位置し得る端末について、個別に位置する位置登録エリアを示す位置情報と認証の基準である認証情報とが格納された記憶手段と、
異なるホームメモリ局装置によって所定の頻度で与えられる位置情報と認証情報との前記記憶手段に対する反映を図るデータベース保守手段と、
前記端末の内、呼が生起した被認証端末について、識別情報および認証キーに併せて、その端末に先行して生起した呼の履歴を示す新たな履歴情報がその呼の呼設定の手順に基づいて与えられたときに、配下のＶＬＲの何れかに、その被認証端末に先行して生起した呼の履歴を示す既得履歴情報の要求を発する呼履歴要求手段と、
前記呼履歴要求手段によって発せられた要求に応じて、前記配下のＶＬＲの何れかによって前記既得履歴情報が与えられたときに、その既得履歴情報と前記新たな履歴情報との相関と、前記記憶手段に格納された認証情報と前記認証キーとの相関とをとり、これらの結果に基づいて前記被認証端末の認証を行う認証手段と
を備えたホームメモリノード装置において、
呼履歴要求手段は、
先行して前記既得履歴情報の要求の宛先となったＶＬＲからこの履歴情報を与えることができないことを意味する通知が与えられたときに、そのＶＬＲと異なるＶＬＲにこの要求を発する
ことを特徴とするホームメモリノード装置。
【請求項７】
配下に形成された位置登録エリアに位置し得る端末について、個別に位置する位置登録エリアを示す位置情報と認証の基準である認証情報とが格納された記憶手段と、
異なるホームメモリ局装置によって所定の頻度で与えられる位置情報と認証情報との前記記憶手段に対する反映を図るデータベース保守手段と、
前記端末の内、呼が生起した被認証端末について、識別情報および認証キーに併せて、その端末に先行して生起した呼の履歴を示す新たな履歴情報がその呼の呼設定の手順に基づいて与えられたときに、配下のＶＬＲの何れかに、その被認証端末に先行して生起した呼の履歴を示す既得履歴情報の要求を発する呼履歴要求手段と、
前記呼履歴要求手段によって発せられた要求に応じて、その要求の宛先となったＶＬＲによって前記既得履歴情報が与えられたときに、その既得履歴情報と前記新たな履歴情報との相関と、前記記憶手段に格納された認証情報と前記認証キーとの相関とをとり、これらの結果に基づいて前記被認証端末の認証を行う認証手段と
を備えたホームメモリノード装置において、
認証手段は、
先行して前記既得履歴情報の要求の宛先となったＶＬＲ以外のＶＬＲから与えられた履歴情報に対しても、その既得履歴情報と前記新たな履歴情報との相関と、前記記憶手段に格納された認証情報と前記認証キーとの相関とをとり、これらの結果に基づいて前記被認証端末の認証を行う
ことを特徴とするホームメモリノード装置。
【請求項８】
配下に形成された位置登録エリアに位置する端末について、個別に認証の基準である認証情報と、先行して生起した呼の履歴を示す既得履歴情報とが格納された記憶手段と、
冗長系をなす複数のホームメモリ局の内、現用系として稼働している現用ホームメモリ局によって与えられ、かつ呼が生起した端末を示す識別情報に対応する既得履歴情報が前記記憶手段に格納されているか否かの判別を行う判別手段と、
前記判別手段によって行われた判別の結果が真であるときに、前記識別情報に対応して前記記憶手段に格納された既得履歴情報を前記現用ホームメモリ局に与える履歴情報処理手段と、
前記現用ホームメモリ局と連係することによって、前記識別情報と共にその現用ホームメモリ局によって与えられた新たな認証情報および履歴情報の前記記憶手段に対する反映を図り、これらの認証情報および前記既得履歴情報を前記呼の呼設定に適用するデータベース保守手段とを備え、
前記履歴情報処理手段は、
前記判別手段によって行われた判別の結果が偽であるときに、前記位置登録エリア以外の位置登録エリアを配下に形成する他のＶＬＲにその履歴情報処理手段の代行を依頼し、この代行の過程で前記現用ホームメモリ局との連係に要するとりまとめを行う
ことを特徴とするＶＬＲ装置。
【請求項９】
配下に形成された位置登録エリアに位置する端末について、個別に認証の基準である認証情報と、先行して生起した呼の履歴を示す既得履歴情報とが格納された記憶手段と、
冗長系をなす複数のホームメモリ局の内、現用系として稼働している現用ホームメモリ局によって与えられ、かつ呼が生起した端末を示す識別情報に対応する既得履歴情報が前記記憶手段に格納されているか否かの判別を行う判別手段と、
前記判別手段によって行われた判別の結果が真であるときに、前記識別情報に対応して前記記憶手段に格納された既得履歴情報を前記現用ホームメモリ局に与える履歴情報処理手段と、
前記現用ホームメモリ局と連係することによって、前記識別情報と共にその現用ホームメモリ局によって与えられた新たな認証情報および履歴情報の前記記憶手段に対する反映を図り、これらの認証情報および前記既得履歴情報を前記呼の呼設定に適用するデータベース保守手段とを備え、
前記履歴情報処理手段は、
前記判別手段によって行われた判別の結果が偽であるときに、前記位置登録エリア以外の位置登録エリアを配下に形成する他のＶＬＲに前記現用ホームメモリ局との連係と、その履歴情報処理手段の代行とを依頼する
ことを特徴とするＶＬＲ装置。
【請求項１０】
配下に形成された位置登録エリアに位置する端末について、個別にその位置登録エリアを示す位置情報と、先行して生起した呼の履歴を示す既得履歴情報とが格納された記憶手段と、
冗長系をなす複数のホームメモリ局の内、現用系として稼働している現用ホームメモリ局によって与えられ、かつ呼が生起した端末を示す識別情報に対応する既得履歴情報が前記記憶手段に格納されているか否かの判別を行う判別手段と、
前記判別手段によって行われた判別の結果が真であるときに、前記識別情報に対応して前記記憶手段に格納された位置情報と既得履歴情報とを削除する履歴情報処理手段と、
前記現用ホームメモリ局と連係することによって、前記識別情報と共にその現用ホームメモリ局によって与えられた新たな履歴情報の前記記憶手段に対する反映を図り、その新たな履歴情報を前記呼の呼設定に適用するデータベース保守手段とを備え、
前記履歴情報処理手段は、
前記判別手段によって行われた判別の結果が偽であるときに、前記位置登録エリア以外の位置登録エリアを配下に形成する他のＶＬＲにその履歴情報処理手段の代行を依頼し、この代行の過程で前記現用ホームメモリ局との連係に要するとりまとめを行う
ことを特徴とするＶＬＲ装置。
【請求項１１】
配下に形成された位置登録エリアに位置する端末について、個別にその位置登録エリアを示す位置情報と、先行して生起した呼の履歴を示す既得履歴情報とが格納された記憶手段と、
冗長系をなす複数のホームメモリ局の内、現用系として稼働している現用ホームメモリ局によって与えられ、かつ呼が生起した端末を示す識別情報に対応する位置情報と既得履歴情報とが前記記憶手段に格納されているか否かの判別を行う判別手段と、
前記判別手段によって行われた判別の結果が真であるときに、前記識別情報に対応して前記記憶手段に格納された位置情報と既得履歴情報とを削除する履歴情報処理手段と、
前記現用ホームメモリ局と連係することによって、前記識別情報と共にその現用ホームメモリ局によって与えられた新たな履歴情報の前記記憶手段に対する反映を図り、その新たな履歴情報を前記呼の呼設定に適用するデータベース保守手段とを備え、
前記履歴情報処理手段は、
前記判別手段によって行われた判別の結果が偽であるときに、前記位置登録エリア以外の位置登録エリアを配下に形成する他のＶＬＲに前記現用ホームメモリ局との連係と、その履歴情報処理手段の代行とを依頼する
ことを特徴とするＶＬＲ装置。
【請求項１２】
請求項８ないし請求項１１の何れか１項に記載のＶＬＲ装置において、
履歴情報処理手段は、
他のＶＬＲの数と属性との双方あるいは何れか一方に適応した時間を求め、現用ホームメモリ局宛にその時間に亘って該当する呼にかかわる処理の中断の見合わせてを要求する
ことを特徴とするＶＬＲ装置。
【請求項１３】
配下に形成された位置登録エリアに位置する端末について、認証の基準である認証情報と、先行して生起した呼の履歴を示す既得履歴情報とが格納された記憶手段と、
前記位置登録エリアと異なる位置登録エリアを形成する他のＶＬＲによって与えられ、かつ前記端末の内、呼が生起した端末を示す識別情報に対応する既得履歴情報が前記記憶手段に格納されているか否かの判別を行う判別手段と、
前記判別手段によって行われた判別の結果が真であるときに、前記識別情報に対応して前記記憶手段に格納された既得履歴情報を前記他のＶＬＲに与える履歴情報処理手段と、
冗長系をなす複数のホームメモリ局の内、現用系として稼働している現用ホームメモリ局と連係することによって、前記識別情報と共にその現用ホームメモリ局によって与えられた新たな認証情報および履歴情報の前記記憶手段に対する反映を図り、これらの新たな認証情報および前記履歴情報を前記呼の呼設定に適用するデータベース保守手段とを備え、
前記履歴情報処理手段は、
前記判別手段によって行われた判別の結果が偽であるときに、その旨を前記他のＶＬＲに通知する
ことを特徴とするＶＬＲ装置。
【請求項１４】
配下に形成された位置登録エリアに位置する端末について、その位置登録エリアを示す位置情報と、先行して生起した呼の履歴を示す既得履歴情報とが格納された記憶手段と、
前記位置登録エリアと異なる位置登録エリアをする他のＶＬＲによって与えられ、かつ前記端末の内、呼が生起した端末を示す識別情報に対応する位置情報と既得履歴情報とが前記記憶手段に格納されているか否かの判別を行う判別手段と、
前記判別手段によって行われた判別の結果が真であるときに、前記識別情報に対応して前記記憶手段に格納された位置情報と既得履歴情報とを削除する履歴情報処理手段と、
冗長系をなす複数のホームメモリ局の内、現用系として稼働している現用ホームメモリ局と連係することによって、前記識別情報と共にその現用ホームメモリ局によって与えられた新たな履歴情報の前記記憶手段に対する反映を図り、その新たな履歴情報を前記呼の呼設定に適用するデータベース保守手段とを備え、
前記履歴情報処理手段は、
前記判別手段によって行われた判別の結果が偽であるときに、その旨を前他のＶＬＲに通知する
ことを特徴とするＶＬＲ装置。
【請求項１５】
配下に形成された位置登録エリアに位置する端末について、認証の基準である認証情報と、その位置登録エリアを示す位置情報と、先行して生起した呼の履歴を示す既得履歴情報とが格納された記憶手段と、
前記位置登録エリアと異なる位置登録エリアを形成する他のＶＬＲによって与えられ、かつ前記端末の内、呼が生起した端末を示す識別情報に対応する既得履歴情報が前記記憶手段に格納されているか否かの判別を行う判別手段と、
前記判別手段によって行われた判別の結果が真であるときに、前記識別情報に対応して前記記憶手段に格納された既得履歴情報を現用系として稼働しているホームメモリ局に与える履歴情報処理手段と、
冗長系をなす複数のホームメモリ局の内、現用系として稼働している現用ホームメモリ局と連係することによって、前記識別情報と共にその現用ホームメモリ局によって与えられた新たな認証情報および履歴情報の前記記憶手段に対する反映を図り、これらの新たな認証情報および履歴情報を前記呼の呼設定に適用するデータベース保守手段とを備え、
前記履歴情報処理手段は、
前記判別手段によって行われた判別の結果が偽であるときに、現用系として稼働しているホームメモリ局にその旨を通知する
ことを特徴とするＶＬＲ装置。
【請求項１６】
配下に形成された位置登録エリアに位置する端末について、その位置登録エリアを示す位置情報と、先行して生起した呼の履歴を示す既得履歴情報とが格納された記憶手段と、
前記位置登録エリアと異なる位置登録エリアを形成する他のＶＬＲによって与えられ、かつ前記端末の内、呼が生起した端末を示す識別情報に対応する位置情報と既得履歴情報とが前記記憶手段に格納されているか否かの判別を行う判別手段と、
前記判別手段によって行われた判別の結果が真であるときに、前記識別情報に対応して前記記憶手段に格納された位置情報と既得履歴情報とを削除する履歴情報処理手段と、
冗長系をなす複数のホームメモリ局の内、現用系として稼働している現用ホームメモリ局と連係することによって、前記識別情報と共にその現用ホームメモリ局によって与えられた新たな履歴情報の前記記憶手段に対する反映を図り、その新たな履歴情報を前記呼の呼設定に適用するデータベース保守手段とを備え、
前記履歴情報処理手段は、
前記判別手段によって行われた判別の結果が偽であるときに、前記他のＶＬＲと異なるＶＬＲに、現用系として稼働しているホームメモリ局との連係と、その履歴情報処理手段の代行とを依頼する
ことを特徴とするＶＬＲ装置。
【発明の詳細な説明】
【０００１】
【発明の属する技術分野】
本発明は、ＶＬＲ張出方式が適用された移動通信システムにおいて、個々の加入者の認証と移動性の保証との実現に供されるデータが蓄積され、かつ適宜更新されるデータベースを構成するホームメモリノード装置およびＶＬＲ装置に関する。
【０００２】
【従来の技術】
近年、移動通信システムは、市場が自由化され、かつ複数の通信事業者の競争と機器の製造者の技術開発との下で急速に普及しつつある。
また、都市の中心部に形成された無線ゾーンのように、多数の端末が集中して位置し得る無線ゾーンでは、最繁時に膨大な呼が集中して生起する。
【０００３】
したがって、多くの移動通信システムでは、ホームメモリ局に記憶された認証情報が呼処理の過程で適宜参照される「ＨＬＲ固定方式」に比べて、「ＶＬＲ張出方式」が多く採用されている。
なお、このような「ＶＬＲ張出方式」は、
・  何れかの移動局に生起した呼の呼処理を行う全ての交換機に「在圏加入者ロケーションレジスタ」（以下、単に「ＶＬＲ」という。）が備えられ、
・  位置登録の完了に応じて更新され、かつホームメモリ局に格納されている認証情報がこれらのＶＬＲに配信されると共に、
・  移動局に生起した呼の呼処理を行う交換機が個別に備えられたＶＬＲが直接参照される
ことによって、呼処理やチャネル制御が効率的に行われる方式である。
【０００４】
図１８は、ＶＬＲ張出方式が適用された移動通信システムの構成例を示す図である。
図において、ホームメモリ局１１０-1、１１０-2はそれぞれ通信リンク１１１の両端に接続され、かつ共通線信号網１１２に接続される。共通線信号網１１２には、交換機１１３-1〜１１３-Nと、これらの交換機１１３-1〜１１３-Nと個別に対をなすＶＬＲ１１４-1〜１１４-Nとが接続される。交換機１１３-1〜１１３-Nはそれぞれ通信リンク１１５-11〜１１５-1n、…、１１５-N1〜１１５-Nnを介して無線基地局１１６-11〜１１６-1n、…、１１６-N1〜１１６-Nnにそれぞれ接続され、これらの無線基地局１１６-1〜１１６-nによって個別に形成された無線ゾーン１１７-11〜１１７-1n、…、１１７-N1〜１１７-Nn の内、何れかの無線ゾーンに移動局１１８が位置する。
【０００５】
このような構成の移動通信システムでは、ホームメモリ局１１０-1、１１０-2は、待機冗長方式に基づいて作動する。
したがって、ホームメモリ局１１０-1は、例えば、認証情報を含む既述のデータを蓄積しつつ主導的に更新すべき現用系として稼働している期間には、通信リンク１１１を介してホームメモリ局１１０-2宛に、最新のデータベースの内容、もしくはそのデータベースの内容の内、更新されたレコードの集合からなる差分データを所定の周期Ｔで送出する（図１９(a)、図２０(a))。
【０００６】
一方、ホームメモリ局１１０-2は、上記の現用系に連係する予備系として正常に稼働している期間には、上述した周期Ｔでホームメモリ局１１０-1から通信リンク１１１を介して与えられるデータベースの内容、あるいは差分データを自局のデータベースに盛り込む（図１９(b)、図２０(b))。
したがって、ホームメモリ局１１０-1、１１０-2のデータベースの内容の相違は、周期的に解消される。
【０００７】
また、無線ゾーン１１７-1n に位置していた（図２１(a))移動局１１８がその無線ゾーン１１７-1n に隣接する無線ゾーン１１７-21 の圏内に移動した（図２１(b))場合には、その移動局１１８は、チャネル制御の手順に基づいて自局の識別情報と後述する「呼履歴カウント」とを含む「位置登録要求」を生成する。
【０００８】
さらに、移動局１１８は、無線基地局１１６-21 を介して交換機１１３-2宛に、その「位置登録要求」を送出する（図１９(1))。
ここに、「呼履歴カウント」とは、移動局１１８が位置登録を完了した時点から自局に生起した呼の数を計数することによって得た計数値である。
なお、無線基地局１１６-11〜１１６-1n、…、１１６-N1〜１１６-Nnによって行われるチャネル制御と、そのチャネル制御の手順に基づいて個々の無線チャネルと交換機１１３-1〜１１３-Nとの間で行われる情報の送受とについては、本発明の特徴ではなく、かつ多様な先行技術の適用の下で実現されるので、以下では、その説明を省略する。
【０００９】
交換機１１３-2は、上述した「位置登録要求」に含まれる「呼履歴カウント」をその「呼履歴カウント」と共に含まれる識別情報に対応付けて主記憶の所定の記憶領域に保持する。
さらに、交換機１１３-2は、これらの識別情報および「呼履歴カウント」を含む「認証要求」を生成し、共通線信号網１１２を介してＶＬＲ１１４-2にその「認証要求」を送出する（図１９(2))。
【００１０】
ＶＬＲ１１４-2は、この「認証要求」を識別すると、その「認証要求」に含まれる識別情報で示される移動局１１８が自局の配下の位置登録エリアに在圏するか否かを判別する（図１９(3)、図２２(1))。
さらに、ＶＬＲ１１４-2は、その判別の結果が偽である場合には、共通線信号網１１２を介してホームメモリ局１１０-1宛に、該当する「認証要求」を転送する（図１９(4)、図２２(2))。
【００１１】
ホームメモリ局１１０-1は、その「認証要求」に含まれる「呼履歴カウント」をその「呼履歴カウント」と共にこの「認証要求」に含まれる識別情報に対応付けて主記憶の所定の記憶領域に保持する。
【００１２】
さらに、ホームメモリ局１１０-1は、この「認証要求」に含まれる識別情報を含む「呼履歴カウント要求」を生成し、かつ共通線信号網１１２を介してＶＬＲ１１４-1宛に、その「呼履歴カウント要求」を送出する（図１９(5)、図２０(1))。
ＶＬＲ１１４-1は、その「呼履歴カウント要求」を識別すると、この「呼履歴カウント要求」に含まれる識別情報に対応つけられたレコードとして記述のデータベースに格納されている「呼履歴カウント」（以下、「カレントカウント」という。）を取得し、その「カレントカウント」に併せて識別情報を含む「呼履歴カウント通知」を生成する（図１９(6))。
【００１３】
さらに、ＶＬＲ１１４-1は、共通線信号網１１２を介してホームメモリ局１１０-1宛に、この「呼履歴カウント通知」を送出する（図１９(7)、図２２(3))。
ホームメモリ局１１０-1は、その「呼履歴カウント通知」に含まれる識別情報に対応して主記憶の特定の記憶領域に格納された「呼履歴カウント」と、その識別情報と共にこの「呼履歴カウント通知」に含まれる「カレントカウント」との差分をとり、その差分が所定の上限値未満であるか否かの判別を行うことによって、該当する識別情報で示される移動局にかかわる認証を行う（図１９(8)、図２０(2))。
【００１４】
なお、この認証の結果については、ここでは、簡単のため、「該当する移動局１１８が正規の移動局であること」を示すと仮定する。
さらに、ホームメモリ局１１０-1は、その認証の結果に併せて上述した識別情報を含む「認証要求応答」を生成し、かつ共通線信号網１１２を介してＶＬＲ１１４-2宛に、その「認証要求応答」を送出する（図１９(9)、図２０(3))。
【００１５】
ＶＬＲ１１４-2は、この「認証要求応答」を識別すると、交換機１１３-2宛にその「認証要求応答」を転送する（図１９(10)、図２２(4)) 。
交換機１１３-2は、この「認証要求応答」に含まれる上記の認証の結果の真偽を識別し、その結果が真である場合には、該当する識別情報を含み、かつ既述の位置登録が続行されるべき旨を意味する「位置登録続行要求」を生成する（図１９(11)) 。
【００１６】
さらに、交換機１１３-2は、共通線信号網１１２を介してＶＬＲ１１４-2宛に、その「位置登録続行要求」を送出する（図１９(12))。
ＶＬＲ１１４-2は、共通線信号網１１２を介してホームメモリ局１１０-1宛に、その「位置登録続行要求」を送出する（図１９(13)、図２２(5)) 。
ホームメモリ局１１０-1は、この「位置登録続行要求」を識別すると、その「位置登録続行要求」に含まれる識別情報を含み、かつこの識別情報で示される移動局にかかわるプロファイルが消去されるべき旨を意味する「登録消去要求」を生成する。
【００１７】
さらに、ホームメモリ局１１０-1は、共通線信号網１１２を介してＶＬＲ１１４-1宛に、その「登録消去要求」を送出する（図１９(14)、図２０(4))。
ＶＬＲ１１４-1は、共通線信号線１１２を介して交換機１１３-1宛に、この「登録消去要求」を転送する（図１９(15)、図２２(6))。
さらに、交換機１１３-1は、この「登録消去要求」を識別すると、その「登録消去要求」に含まれる識別情報に対応したプロファイルを消去する（図１９(16))。
【００１８】
また、交換機１１３-1は、このようにしてプロファイルが消去されことを意味し、上述した識別情報を含む「消去完了通知」を生成すると共に、共通線信号網１１２を介してＶＬＲ１１４-1宛に、その「消去完了通知」を送出する（図１９(17)) 。
ＶＬＲ１１４-1は、この「消去完了通知」を識別すると、その「消去完了通知」に含まれる識別情報に対応したプロファイルを消去する（図２２(7))と共に、ホームメモリ局１１０-1宛に、この「消去完了通知」を転送する（図１９(18)、図２２(8))。
【００１９】
ホームメモリ局１１０-1は、この「消去完了通知」を識別すると、その「消去完了通知」に含まれる識別情報に対応したレコードとして既述のデータベースに格納されているプロファイルを取得する（図１９(19)) 。
さらに、ホームメモリ局１１０-1は、これらの識別情報およびプロファイルを含む「プロファイル通知」を生成し、共通線信号網１１２を介してＶＬＲ１１４-2宛に、その「プロファイル通知」を送出する（図１９(20)、図２０(5))。
【００２０】
ＶＬＲ１１４-2は、この「プロファイル通知」を識別すると、その「プロファイル通知」に含まれる識別情報とプロファイルとを抽出し、両者を対応付けてデータベースとして蓄積することによって、このプロファイルを保存する（図２２(9))と共に、共通線信号網１１２を介して交換機１１３-2宛に、その「プロファイル通知」を転送する（図１９(22)、図２２(10))。
【００２１】
交換機１１３-2は、この「プロファイル通知」を識別すると、その「プロファイル通知」に含まれる識別情報とプロファイルとを抽出し、両者を対応付けてデータベースとして蓄積する（図１９(23)) と共に、通信リンク１１５-1n および無線基地局１１６-1n を介して移動局１１８宛に、「位置登録応答」を送出する（図１９(24)) 。
【００２２】
移動局１１８は、その「位置登録応答」を識別すると、交換機１１３-Nの配下に形成された無線ゾーン１１７-N1(移行先の位置登録エリア）に対する位置登録の完了を認識する（図１９(25)) 。
さらに、移動局１１８は、その無線ゾーン１１７-N1 に割り付けられた無線チャネルの内、止まり木チャネルをチャネル制御の手順に基づいて識別し、かつ自局に対する着信の待ち受けと、操作者によって与えられる指示に応じた発信が可能な待ち受け状態に移行する。
【００２３】
したがって、移動局１１８の位置登録は、二重化されたホームメモリ局１１０-1、１１０-2の配下で「ＶＬＲ張出方式」に基づいて達成される。
【００２４】
【発明が解決しようとする課題】
ところで、上述した従来例では、現用系として稼働しているホームメモリ局１１０-1に何らかの障害が発生したために、このホームメモリ局１１０-1に代わってホームメモリ局１１０-2が現用系として稼働を開始した時点には、そのホームメモリ局１１０-2のデータベースには、必ずしも最新の情報の全ては反映されない。
【００２５】
さらに、上述した時点から周期Ｔ以上に亘って時間が経過する前に、移動局１１８が他の位置登録エリア（例えば、交換機１１３-2の配下に形成される何れかの無線ゾーン）に移動し、かつ位置登録を試行した場合には、ホームメモリ局１１０-2は、その時点におけるデータベースの内容に基づいて既述の「呼履歴カウント要求」の宛先となるべきＶＬＲを決定する（図１９(5))。
【００２６】
すなわち、この宛先はＶＬＲ１１４-1に設定され得るが、移動局１１８のプロファイルは既述の「消去完了通知」に応じて既に消去されている（図１９(16)) 。
さらに、ホームメモリ局１１０-2は、上述した「呼履歴カウント要求」に応じて有効な「呼履歴カウント通知」を取得するとができないために、移動局１１８について認証（図１９(8)、図２０(2))を行うことができない。したがって、位置登録は、既述の手順では必ずしも正常には行われなかった。
【００２７】
本発明は、基本的な構成が大幅に変更されることなく、配下の位置登録エリアに位置する端末の認証および位置登録が安定に、かつ確度高く行われるホームメモリノード装置およびＶＬＲ装置を提供することを目的とする。
【００２８】
【課題を解決するための手段】
図１は、請求項１、３〜７に記載の発明の原理ブロック図である。
【００２９】
請求項１に記載の発明は、配下に形成された位置登録エリアに位置し得る端末１０-1〜１０-nについて、個別に位置する位置登録エリアを示す位置情報と認証の基準である認証情報とが格納された記憶手段１１と、異なるホームメモリノード装置１２-1〜１２-pと共に構成される冗長系の現用系と待機系との何れとして自局が稼働すべきかを識別し、待機系として稼働する期間には、その異なるホームメモリ局装置１２-1〜１２-pによって所定の頻度で与えられる位置情報と認証情報との記憶手段１１に対する反映を図るデータベース保守手段１３と、端末１０-1〜１０-nの内、呼が生起した被認証端末について、識別情報および認証キーに併せて、その端末に先行して生起した呼の履歴を示す新たな履歴情報がその呼の呼設定の手順に基づいて与えられたときに、その被認証端末に先行して生起した呼の履歴を示す既得履歴情報の要求を配下のＶＬＲ１４-1〜１４-Pに順次あるいは並行して発する呼履歴要求手段１５と、呼履歴要求手段１５によって発せられた要求に応じて、配下のＶＬＲ１４-1〜１４-Pの何れかによって既得履歴情報が与えられたときに、その既得履歴情報と新たな履歴情報との相関と、記憶手段１１に格納された認証情報と認証キーとの相関とをとり、これらの結果に基づいて被認証端末の認証を行う認証手段１６とを備えたことを特徴とする。
【００３０】
図２は、請求項２、３に記載の発明の原理ブロック図である。
請求項２に記載の発明は、配下に形成された位置登録エリアに位置し得る端末１０-1〜１０-nについて、個別に位置情報が格納された記憶手段１１Ａと、異なるホームメモリノード装置１２-1〜１２-pと共に構成される冗長系の現用系と待機系との何れとして自局が稼働すべきかを識別し、待機系として稼働する期間には、その異なるホームメモリ局装置１２-1〜１２-pによって所定の頻度で与えられる位置情報の記憶手段１１Ａに対する反映を図るデータベース保守手段２１と、端末１０-1〜１０-nの内、呼が生起した特定の端末の位置情報がその呼の呼設定の手順に基づいて与えられたときに、その位置情報との整合を図ることの要求を配下のＶＬＲ１４-1〜１４-P宛に順次あるいは並行して発する位置情報整合要求手段２２とを備えたことを特徴とする。
【００３１】
請求項３に記載の発明は、請求項１または請求項２に記載のホームメモリノード装置において、呼設定を行う交換局２３と、配下のＶＬＲ１４-1〜１４-Pの内、その交換局２３に連係するＶＬＲとの双方あるいは何れか一方宛に、要求が発せられるべきＶＬＲの組み合わせもしくは数に適応した時間に亘って、その呼設定の中断の見合わせを要求する待機要求手段２５を備えたことを特徴とする。
【００３２】
請求項４に記載の発明は、請求項１に記載のホームメモリノード装置において、データベース保守手段１３は、位置情報と認証情報とに併せて、自局が待機系として稼働していることを示す待機系識別子との記憶手段１１に対する反映を併せて図り、呼履歴要求手段１５は、配下のＶＬＲ１４-1〜１４-Pの内、データベース保守手段１３によって待機系識別子と共に記憶手段１１に反映された位置情報に対応するＶＬＲを特定し、そのＶＬＲ以外のＶＬＲ宛に既得履歴情報の要求を発することを特徴とする。
【００３３】
請求項５に記載の発明は、配下に形成された位置登録エリアに位置し得る端末１０-1〜１０-nについて、個別に位置する位置登録エリアを示す位置情報と認証の基準である認証情報とが格納された記憶手段１１と、異なるホームメモリ局装置１２-1〜１２-pによって所定の頻度で与えられる位置情報と認証情報との記憶手段１１に対する反映を図るデータベース保守手段１３Ａと、端末１０-1〜１０-nの内、呼が生起した被認証端末について、識別情報および認証キーに併せて、その端末に先行して生起した呼の履歴を示す新たな履歴情報がその呼の呼設定の手順に基づいて与えられたときに、配下のＶＬＲ１４-1〜１４-Pに、所定の時間を含み、その被認証端末に先行して生起した呼の履歴を示す既得履歴情報の要求を発する呼履歴要求手段１５Ａと、呼履歴要求手段１５Ａによって発せられた要求に応じて、配下のＶＬＲ１４-1〜１４-Pの何れかによって既得履歴情報が与えられたときに、その既得履歴情報と新たな履歴情報との相関と、記憶手段１１に格納された認証情報と認証キーとの相関とをとり、これらの結果に基づいて被認証端末の認証を行う認証手段１６Ａとを備えたホームメモリノード装置において、認証手段１６Ａは、配下のＶＬＲ１４-1〜１４-Pの何れかから与えられた要求に応じて、その要求に含まれる時間に亘って認証処理の打ち切りを保留することを特徴とする。
【００３４】
請求項６に記載の発明は、配下に形成された位置登録エリアに位置し得る端末１０-1〜１０-nについて、個別に位置する位置登録エリアを示す位置情報と認証の基準である認証情報とが格納された記憶手段１１と、異なるホームメモリ局装置１２-1〜１２-pによって所定の頻度で与えられる位置情報と認証情報との記憶手段１１に対する反映を図るデータベース保守手段１３Ｂと、端末１０-1〜１０-nの内、呼が生起した被認証端末について、識別情報および認証キーに併せて、その端末に先行して生起した呼の履歴を示す新たな履歴情報がその呼の呼設定の手順に基づいて与えられたときに、配下のＶＬＲ１４-1〜１４-Pの何れかに、その被認証端末に先行して生起した呼の履歴を示す既得履歴情報の要求を発する呼履歴要求手段１５Ｂと、呼履歴要求手段１５Ｂによって発せられた要求に応じて、配下のＶＬＲ１４-1〜１４-Pの何れかによって既得履歴情報が与えられたときに、その既得履歴情報と新たな履歴情報との相関と、記憶手段１１に格納された認証情報と認証キーとの相関とをとり、これらの結果に基づいて被認証端末の認証を行う認証手段１６Ｂとを備えたホームメモリノード装置において、呼履歴要求手段１５Ｂは、先行して既得履歴情報の要求の宛先となったＶＬＲからこの履歴情報を与えることができないことを意味する通知が与えられたときに、そのＶＬＲと異なるＶＬＲにこの要求を発することを特徴とする。
【００３５】
請求項７に記載の発明は、配下に形成された位置登録エリアに位置し得る端末１０-1〜１０-nについて、個別に位置する位置登録エリアを示す位置情報と認証の基準である認証情報とが格納された記憶手段１１と、異なるホームメモリ局装置１２-1〜１２-pによって所定の頻度で与えられる位置情報と認証情報との記憶手段１１に対する反映を図るデータベース保守手段１３Ｂと、端末１０-1〜１０-nの内、呼が生起した被認証端末について、識別情報および認証キーに併せて、その端末に先行して生起した呼の履歴を示す新たな履歴情報がその呼の呼設定の手順に基づいて与えられたときに、配下のＶＬＲ１４-1〜１４-Pの何れかに、その被認証端末に先行して生起した呼の履歴を示す既得履歴情報の要求を発する呼履歴要求手段１５Ｂと、呼履歴要求手段１５Ｂによって発せられた要求に応じて、その要求の宛先となったＶＬＲによって既得履歴情報が与えられたときに、その既得履歴情報と新たな履歴情報との相関と、記憶手段１１に格納された認証情報と認証キーとの相関とをとり、これらの結果に基づいて被認証端末の認証を行う認証手段１６Ｂとを備えたホームメモリノード装置において、認証手段１６Ｂは、先行して既得履歴情報の要求の宛先となったＶＬＲ以外のＶＬＲから与えられた履歴情報に対しても、その既得履歴情報と新たな履歴情報との相関と、記憶手段１１に格納された認証情報と認証キーとの相関とをとり、これらの結果に基づいて被認証端末の認証を行うことを特徴とする。
【００３６】
図３は、請求項８、９、１２に記載の発明の原理ブロック図である。
請求項８に記載の発明は、配下に形成された位置登録エリアに位置する端末３０-1〜３０-nについて、個別に認証の基準である認証情報と、先行して生起した呼の履歴を示す既得履歴情報とが格納された記憶手段３１と、冗長系をなす複数のホームメモリ局３２-1〜３２-Pの内、現用系として稼働している現用ホームメモリ局によって与えられ、かつ呼が生起した端末を示す識別情報に対応する既得履歴情報が記憶手段３１に格納されているか否かの判別を行う判別手段３３と、判別手段３３によって行われた判別の結果が真であるときに、識別情報に対応して記憶手段３１に格納された既得履歴情報を現用ホームメモリ局に与える履歴情報処理手段３４と、現用ホームメモリ局と連係することによって、識別情報と共にその現用ホームメモリ局によって与えられた新たな認証情報および履歴情報の記憶手段３１に対する反映を図り、これらの認証情報および既得履歴情報を呼の呼設定に適用するデータベース保守手段３５とを備え、履歴情報処理手段３４は、判別手段３３によって行われた判別の結果が偽であるときに、位置登録エリア以外の位置登録エリアを配下に形成する他のＶＬＲにその履歴情報処理手段３４の代行を依頼し、この代行の過程で現用ホームメモリ局との連係に要するとりまとめを行うことを特徴とする。
【００３７】
請求項９に記載の発明は、配下に形成された位置登録エリアに位置する端末３０-1〜３０-nについて、個別に認証の基準である認証情報と、先行して生起した呼の履歴を示す既得履歴情報とが格納された記憶手段３１と、冗長系をなす複数のホームメモリ局３２-1〜３２-Pの内、現用系として稼働している現用ホームメモリ局によって与えられ、かつ呼が生起した端末を示す識別情報に対応する既得履歴情報が記憶手段３１に格納されているか否かの判別を行う判別手段３３と、判別手段３３によって行われた判別の結果が真であるときに、識別情報に対応して記憶手段３１に格納された既得履歴情報を現用ホームメモリ局に与える履歴情報処理手段３４と、現用ホームメモリ局と連係することによって、識別情報と共にその現用ホームメモリ局によって与えられた新たな認証情報および履歴情報の記憶手段３１に対する反映を図り、これらの認証情報および既得履歴情報を呼の呼設定に適用するデータベース保守手段３５とを備え、履歴情報処理手段３４は、判別手段３３によって行われた判別の結果が偽であるときに、位置登録エリア以外の位置登録エリアを配下に形成する他のＶＬＲに現用ホームメモリ局との連係と、その履歴情報処理手段３４の代行とを依頼することを特徴とする。
【００３８】
図４は、請求項１０〜１２に記載の発明の原理ブロック図である。
請求項１０に記載の発明は、配下に形成された位置登録エリアに位置する端末３０-1〜３０-nについて、個別にその位置登録エリアを示す位置情報と、先行して生起した呼の履歴を示す既得履歴情報とが格納された記憶手段４１と、冗長系をなす複数のホームメモリ局４２-1〜４２-Pの内、現用系として稼働している現用ホームメモリ局によって与えられ、かつ呼が生起した端末を示す識別情報に対応する既得履歴情報が記憶手段４１に格納されているか否かの判別を行う判別手段４３と、判別手段４３によって行われた判別の結果が真であるときに、識別情報に対応して記憶手段４１に格納された位置情報と既得履歴情報とを削除する履歴情報処理手段４４と、現用ホームメモリ局と連係することによって、識別情報と共にその現用ホームメモリ局によって与えられた新たな履歴情報の記憶手段４１に対する反映を図り、その新たな履歴情報を呼の呼設定に適用するデータベース保守手段４５とを備え、履歴情報処理手段４４は、判別手段４３によって行われた判別の結果が偽であるときに、位置登録エリア以外の位置登録エリアを配下に形成する他のＶＬＲにその履歴情報処理手段４４の代行を依頼し、この代行の過程で現用ホームメモリ局との連係に要するとりまとめを行うことを特徴とする。
【００３９】
請求項１１に記載の発明は、配下に形成された位置登録エリアに位置する端末３０-1〜３０-nについて、個別にその位置登録エリアを示す位置情報と、先行して生起した呼の履歴を示す既得履歴情報とが格納された記憶手段４１と、冗長系をなす複数のホームメモリ局４２-1〜４２-Pの内、現用系として稼働している現用ホームメモリ局によって与えられ、かつ呼が生起した端末を示す識別情報に対応する位置情報と既得履歴情報とが記憶手段４１に格納されているか否かの判別を行う判別手段４３と、判別手段４３によって行われた判別の結果が真であるときに、識別情報に対応して記憶手段４１に格納された位置情報と既得履歴情報とを削除する履歴情報処理手段４４と、現用ホームメモリ局と連係することによって、識別情報と共にその現用ホームメモリ局によって与えられた新たな履歴情報の記憶手段４１に対する反映を図り、その新たな履歴情報を呼の呼設定に適用するデータベース保守手段４５とを備え、履歴情報処理手段４４は、判別手段４３によって行われた判別の結果が偽であるときに、位置登録エリア以外の位置登録エリアを配下に形成する他のＶＬＲに現用ホームメモリ局との連係と、その履歴情報処理手段４４の代行とを依頼することを特徴とする。
【００４０】
請求項１２に記載の発明は、請求項８ないし請求項１１の何れか１項に記載のＶＬＲ装置において、履歴情報処理手段３４、４４は、他のＶＬＲの数と属性との双方あるいは何れか一方に適応した時間を求め、現用ホームメモリ局宛にその時間に亘って該当する呼にかかわる処理の中断の見合わせを要求することを特徴とする。
【００４１】
図５は、請求項１３、１５に記載の発明の原理ブロック図である。
請求項１３に記載の発明は、配下に形成された位置登録エリアに位置する端末３０-1〜３０-nについて、認証の基準である認証情報と、先行して生起した呼の履歴を示す既得履歴情報とが格納された記憶手段３１と、位置登録エリアと異なる位置登録エリアを形成する他のＶＬＲ５１によって与えられ、かつ端末３０-1〜３０-nの内、呼が生起した端末を示す識別情報に対応する既得履歴情報が記憶手段３１に格納されているか否かの判別を行う判別手段３３Ａと、判別手段３３Ａによって行われた判別の結果が真であるときに、識別情報に対応して記憶手段３１に格納された既得履歴情報を他のＶＬＲ５１に与える履歴情報処理手段３４Ａと、冗長系をなす複数のホームメモリ局の内、現用系として稼働している現用ホームメモリ局と連係することによって、識別情報と共にその現用ホームメモリ局によって与えられた新たな認証情報および履歴情報の記憶手段３１に対する反映を図り、これらの新たな認証情報および履歴情報を呼の呼設定に適用するデータベース保守手段３５Ａとを備え、履歴情報処理手段３４Ａは、判別手段３３Ａによって行われた判別の結果が偽であるときに、その旨を他のＶＬＲ５１に通知することを特徴とする。
【００４２】
図６は、請求項１４、１６に記載の発明の原理ブロック図である。
請求項１４に記載の発明は、配下に形成された位置登録エリアに位置する端末３０-1〜３０-nについて、その位置登録エリアを示す位置情報と、先行して生起した呼の履歴を示す既得履歴情報とが格納された記憶手段４１と、位置登録エリアと異なる位置登録エリアをする他のＶＬＲ５１によって与えられ、かつ端末３０-1〜３０-nの内、呼が生起した端末を示す識別情報に対応する位置情報と既得履歴情報とが記憶手段４１に格納されているか否かの判別を行う判別手段４３Ａと、判別手段４３Ａによって行われた判別の結果が真であるときに、識別情報に対応して記憶手段４１に格納された位置情報と既得履歴情報とを削除する履歴情報処理手段４４Ａと、冗長系をなす複数のホームメモリ局の内、現用系として稼働している現用ホームメモリ局と連係することによって、識別情報と共にその現用ホームメモリ局によって与えられた新たな履歴情報の記憶手段４１に対する反映を図り、その新たな履歴情報を呼の呼設定に適用するデータベース保守手段４５Ａとを備え、履歴情報処理手段４４Ａは、判別手段４３Ａによって行われた判別の結果が偽であるときに、その旨を前他のＶＬＲ５１に通知することを特徴とする。
【００４３】
請求項１５に記載の発明は、配下に形成された位置登録エリアに位置する端末３０-1〜３０-nについて、認証の基準である認証情報と、その位置登録エリアを示す位置情報と、先行して生起した呼の履歴を示す既得履歴情報とが格納された記憶手段３１と、位置登録エリアと異なる位置登録エリアを形成する他のＶＬＲ５１によって与えられ、かつ端末３０-1〜３０-nの内、呼が生起した端末を示す識別情報に対応する既得履歴情報が記憶手段３１に格納されているか否かの判別を行う判別手段３３Ａと、判別手段３３Ａによって行われた判別の結果が真であるときに、識別情報に対応して記憶手段３１に格納された既得履歴情報を現用系として稼働しているホームメモリ局に与える履歴情報処理手段３４Ｂと、冗長系をなす複数のホームメモリ局の内、現用系として稼働している現用ホームメモリ局と連係することによって、識別情報と共にその現用ホームメモリ局によって与えられた新たな認証情報および履歴情報の記憶手段３１に対する反映を図り、これらの新たな認証情報および履歴情報を呼の呼設定に適用するデータベース保守手段３５Ｂとを備え、履歴情報処理手段３４Ｂは、判別手段３３Ａによって行われた判別の結果が偽であるときに、現用系として稼働しているホームメモリ局にその旨を通知することを特徴とする。
【００４４】
請求項１６に記載の発明は、配下に形成された位置登録エリアに位置する端末３０-1〜３０-nについて、その位置登録エリアを示す位置情報と、先行して生起した呼の履歴を示す既得履歴情報とが格納された記憶手段４１と、位置登録エリアと異なる位置登録エリアを形成する他のＶＬＲ５１によって与えられ、かつ端末３０-1〜３０-nの内、呼が生起した端末を示す識別情報に対応する位置情報と既得履歴情報とが記憶手段４１に格納されているか否かの判別を行う判別手段４３Ａと、判別手段４３Ａによって行われた判別の結果が真であるときに、識別情報に対応して記憶手段４１に格納された位置情報と既得履歴情報とを削除する履歴情報処理手段４４Ｂと、冗長系をなす複数のホームメモリ局の内、現用系として稼働している現用ホームメモリ局と連係することによって、識別情報と共にその現用ホームメモリ局によって与えられた新たな履歴情報の記憶手段４１に対する反映を図り、その新たな履歴情報を呼の呼設定に適用するデータベース保守手段４５Ａとを備え、履歴情報処理手段４４Ｂは、判別手段４３Ａによって行われた判別の結果が偽であるときに、他のＶＬＲ５１と異なるＶＬＲ５２に、現用系として稼働しているホームメモリ局との連係と、その履歴情報処理手段４４Ｂの代行とを依頼することを特徴とする。
【００４５】
（作用）
請求項１に記載の発明にかかわるホームメモリノード装置では、待機系として稼働する期間には、データベース保守手段１３は、異なるホームメモリ局装置１２-1〜１２-pによって所定の頻度で与えられる位置情報と認証情報とを記憶手段１１に反映させる。
【００４６】
呼履歴要求手段１５は、端末１０-1〜１０-nの内、呼が生起した被認証端末について、識別情報および認証キーに併せて、その端末に先行して生起した呼の履歴を示す新たな履歴情報がその呼の呼設定の手順に基づいて与えられると、その被認証端末に先行して生起した呼の履歴を示す既得履歴情報の要求を配下のＶＬＲ１４-1〜１４-Pに順次あるいは並行して発する。
【００４７】
認証手段１６は、この要求に応じて、上述したＶＬＲ１４-1〜１４-Pの何れかによって既得履歴情報が与えられると、その既得履歴情報と上述した新たな履歴情報との相関と、記憶手段１１に格納された認証情報と上述した認証キーとの相関とをとり、これらの結果に基づいて被認証端末の認証を行う。
すなわち、配下のＶＬＲ１４-1〜１４-Pの何れかが上述した要求に応じて既得履歴情報を与えない場合であっても、これらのＶＬＲ１４-1〜１４-Pには、同様の要求が順次あるいは並行して与えられる。
【００４８】
したがって、本発明が適用され、かつ待機系として稼働していたホームメモリノード装置が現用系として稼働を開始したときに、先行して現用系として稼働していたホームメモリノード装置の障害等に起因して、記憶手段１１に保持されている位置情報や認証情報が現状と整合しない場合であっても、その位置情報や認証情報の修復が図られる契機が与えられ、かつ確度高く認証や位置登録が達成される。
【００４９】
請求項２に記載の発明にかかわるホームメモリノード装置では、データベース保守手段２１は、ホームメモリノード装置１２-1〜１２-pと共に構成される冗長系の現用系と待機系との何れとして自局が稼働すべきかを識別する。さらに、データベース保守手段２１は、待機系として稼働する期間には、これらのホームメモリノード装置１２-1〜１２-pによって所定の頻度で与えられる位置情報を記憶手段１１Ａに対して反映させる。
【００５０】
位置情報整合要求手段２２は、配下に形成された位置登録エリアに位置し得る端末１０-1〜１０-nの内、呼が生起した特定の端末の位置情報がその呼の呼設定の手順に基づいて与えられたときに、その位置情報との整合を図ることの要求を配下のＶＬＲ１４-1〜１４-P宛に順次あるいは並行して発する。
すなわち、本発明が適用され、かつ待機系として稼働していたホームメモリノード装置が現用系として稼働を開始したときには、上述した要求は、配下に形成された位置登録エリアを個別に形成するＶＬＲ１４-1〜１４-Pの内、上述した呼が生起した位置登録エリア以外の位置登録エリアを形成するＶＬＲ宛にも発せられる。
【００５１】
したがって、先行して現用系として稼働していたホームメモリノード装置の障害等に起因して記憶手段１１Ａに保持されている位置情報が現状に整合しない場合であっても、その位置情報の修復が図られる契機が与えられ、かつ確度高く認証および位置登録が達成される。
請求項３に記載の発明にかかわるホームメモリノード装置では、請求項１または請求項２に記載のホームメモリノード装置において、待機要求手段２５は、呼設定を行う交換局２３と、配下のＶＬＲ１４-1〜１４-Pの内、その交換局２３に連係するＶＬＲとの双方あるいは何れか一方宛に要求が発せられるべきＶＬＲの組み合わせもしくは数に適応した時間に亘って、その呼設定の中断の見合わせを要求する。
【００５２】
すなわち、上述した要求に応じてＶＬＲ１４-1〜１４-Pの何れかが既得履歴情報を与えるために長時間を要する場合であっても、上述した交換局２３、あるいはその交換機と連係するＶＬＲの処理手順に基づいて呼設定が中断される時点が延期される。
したがって、請求項１、２に記載の発明に比べて、認証や位置登録が正常に完了する確率が高められる。
【００５３】
請求項４に記載の発明にかかわるホームメモリノード装置では、請求項１に記載のホームメモリノード装置において、データベース保守手段１３は、位置情報と認証情報とに併せて、自局が待機系として稼働していることを示す待機系識別子とを記憶手段１１に反映させる。呼履歴要求手段１５は、配下のＶＬＲ１４-1〜１４-Pの内、データベース保守手段１３によって待機系識別子と共に記憶手段１１に反映された位置情報に対応するＶＬＲを特定する。さらに、呼履歴要求手段１５は、そのＶＬＲ以外のＶＬＲ宛に既得履歴情報の要求を発する。
【００５４】
すなわち、既得履歴情報の要求は、待機系として稼働しているときに更新され、かつ記憶手段１１に反映された位置情報で示される位置登録エリアを形成するＶＬＲに対しては、発せられない。
したがって、位置登録が行われるべき端末が位置していない位置登録エリアを形成するＶＬＲに対して上述した要求が発せられることに起因する無用な資源の消費と、チャネル制御および呼設定の効率の低下とに併せて、応答性およびサービス品質の低下とが回避される。
【００５５】
請求項５に記載の発明にかかわるホームメモリノード装置では、データベース保守手段１３Ａは、異なるホームメモリ局装置１２-1〜１２-pによって所定の頻度で与えられる位置情報と認証情報とを記憶手段１１に反映させる。
【００５６】
呼履歴要求手段１５Ａは、配下に形成された位置登録エリアに位置し得る端末１０-1〜１０-nの内、呼が生起した被認証端末について、識別情報および認証キーに併せて、その端末に先行して生起した呼の履歴を示す新たな履歴情報がその呼の呼設定の手順に基づいて与えられたときに、配下のＶＬＲ１４-1〜１４-Pに、所定の時間を含み、その被認証端末に先行して生起した呼の履歴を示す既得履歴情報の要求を発する。
【００５７】
また、認証手段１６Ａは、これらの要求に応じて、ＶＬＲ１４-1〜１４-Pの何れかによって既得履歴情報が与えられると、その既得履歴情報と上述した新たな履歴情報との相関と、記憶手段１１に格納された認証情報と上述した認証キーとの相関とをとり、これらの結果に基づいて被認証端末の認証を行う。
さらに、認証手段１６Ａは、これらの要求に含まれる時間に亘って認証処理の打ち切りを保留する。
【００５８】
すなわち、本発明にかかわるホームメモリノード装置によって行われるべき認証は、その認証が行われる端末が位置する位置登録エリアに対応したＶＬＲの要求に応じて打ち切られることなく、確度高く達成される。
したがって、上述した既得履歴情報の要求の宛先となるべきＶＬＲと、これらのＶＬＲの相互間で引き渡されるべき情報の情報量との双方あるいは何れか一方が多く、あるいはその情報の引き渡しに要する時間が輻輳その他に起因して長い場合であっても、認証を伴う呼設定が確度高く行われる。
【００５９】
請求項６に記載の発明にかかわるホームメモリノード装置では、データベース保守手段１３Ｂは、異なるホームメモリ局装置１２-1〜１２-pによって所定の頻度で与えられる位置情報と認証情報とを記憶手段１１に反映させる。
呼履歴要求手段１５Ｂは、端末１０-1〜１０-nの内、呼が生起した被認証端末について、識別情報および認証キーに併せて、その端末に先行して生起した呼の履歴を示す新たな履歴情報がその呼の呼設定の手順に基づいて与えられると、配下のＶＬＲ１４-1〜１４-Pの何れかに、その被認証端末に先行して生起した呼の履歴を示す既得履歴情報の要求を発する。
【００６０】
認証手段１６Ｂは、これらの要求に応じて、配下のＶＬＲ１４-1〜１４-Pの何れかによって既得履歴情報が与えられると、その既得履歴情報と上述した新たな履歴情報との相関と、記憶手段１１に格納された認証情報と上述した認証キーとの相関とをとり、これらの結果に基づいて被認証端末の認証を行う。しかし、呼履歴要求手段１５Ｂは、先行して既得履歴情報の要求の宛先となったＶＬＲからこの履歴情報を与えることができないことを意味する通知が与えられると、そのＶＬＲと異なるＶＬＲにこの要求を発する。
【００６１】
すなわち、認証に供されるべき履歴情報の情報源は、本発明にかかわるホームメモリノード装置の主導の下で行われる選択によって定まる。
したがって、本発明にかかわるホームメモリノード装置では、所定の処理の手順に基づいて確度高く認証が行われる。
請求項７に記載の発明にかかわるホームメモリノード装置では、データベース保守手段１３Ｂは、異なるホームメモリ局装置１２-1〜１２-pによって所定の頻度で与えられる位置情報と認証情報とを記憶手段１１に反映させる。
【００６２】
呼履歴要求手段１５Ｂは、端末１０-1〜１０-nの内、呼が生起した被認証端末について、識別情報および認証キーに併せて、その端末に先行して生起した呼の履歴を示す新たな履歴情報がその呼の呼設定の手順に基づいて与えられると、配下のＶＬＲ１４-1〜１４-Pの何れかに、その被認証端末に先行して生起した呼の履歴を示す既得履歴情報の要求を発する。
【００６３】
認証手段１６Ｂは、これらの要求に応じて、配下のＶＬＲ１４-1〜１４-Pの何れかによって既得履歴情報が与えられると、その既得履歴情報と上述した新たな履歴情報との相関と、記憶手段１１に格納された認証情報と上述した認証キーとの相関とをとり、これらの結果に基づいて被認証端末の認証を行う。
【００６４】
さらに、認証手段１６Ｂは、先行して既得履歴情報の要求の宛先となったＶＬＲ以外のＶＬＲから与えられた履歴情報に対しても、その既得履歴情報と上述した新たな履歴情報との相関と、記憶手段１１に格納された認証情報と上述した認証キーとの相関とをとり、これらの結果に基づいて被認証端末の認証を行う。
すなわち、認証に供されるべき履歴情報の情報源は、本発明にかかわるホームメモリノード装置が介在することなく、ＶＬＲから他のＶＬＲに順次引き継がれてもよい。
【００６５】
したがって、本発明にかかわるホームメモリノード装置では、冗長構成に適応して再構成が行われる時点の如何にかかわらず、負荷が軽減され、かつ確度高く認証が行われる。
請求項８に記載の発明にかかわるＶＬＲ装置では、判別手段３３は、冗長系をなす複数のホームメモリ局３２-1〜３２-Pの内、現用系として稼働している現用ホームメモリ局によって与えられ、かつ呼が生起した端末を示す識別情報に対応する既得履歴情報が記憶手段３１に格納されているか否かの判別を行う。
【００６６】
履歴情報処理手段３４は、その判別の結果が真であるときに、上述した識別情報に対応して記憶手段３１に格納された既得履歴情報を現用ホームメモリ局に与える。データベース保守手段３５は、現用ホームメモリ局と連係することによって、上述した識別情報と共にその現用ホームメモリ局によって与えられた新たな認証情報および履歴情報を記憶手段３１に反映させる。さらに、データベース保守手段３５は、これらの認証情報および上述した既得履歴情報を呼設定に適用する。
【００６７】
また、履歴情報処理手段３４は、上述した判別の結果が偽であるときには、位置登録エリア以外の位置登録エリアを配下に形成する他のＶＬＲにその履歴情報処理手段３４の代行を依頼し、この代行の過程で現用ホームメモリ局との連係に要するとりまとめを行う。
【００６８】
すなわち、認証に供されるべき履歴情報は、ホームメモリ局ではなく、本発明にかかわるＶＬＲ装置が行う主導の下で収集される。
したがって、ホームメモリ局の負荷の削減に併せて、認証の効率および確度の向上とが図られる。
請求項９に記載の発明にかかわるＶＬＲ装置では、判別手段３３は、冗長系をなす複数のホームメモリ局３２-1〜３２-Pの内、現用系として稼働している現用ホームメモリ局によって与えられ、かつ呼が生起した端末を示す識別情報に対応する既得履歴情報が記憶手段３１に格納されているか否かの判別を行う。
【００６９】
履歴情報処理手段３４は、その判別の結果が真であるときに、上述した識別情報に対応して記憶手段３１に格納された既得履歴情報を現用ホームメモリ局に与える。データベース保守手段３５は、現用ホームメモリ局と連係することによって、上述した識別情報と共にその現用ホームメモリ局によって与えられた新たな認証情報および履歴情報を記憶手段３１に反映させる。さらに、データベース保守手段３５は、これらの認証情報および上述した既得履歴情報を呼設定に適用する。
【００７０】
また、履歴情報処理手段３４は、上述した判別の結果が偽である場合には、上述した位置登録エリア以外の位置登録エリアを配下に形成する他のＶＬＲに、現用ホームメモリ局との連係と、その履歴情報処理手段３４の代行とを依頼する。
すなわち、認証に供されるべき履歴情報は、特定のＶＬＲに負荷が集中することなく、効率的に現用ホームメモリ局に与えられ、その現用ホームメモリ局との間で引き渡されるべき情報量が小さく抑えられる。
【００７１】
したがって、ホームメモリ局の負荷の削減に併せて、認証の効率および確度の向上とが図られる。
請求項１０に記載の発明にかかわるＶＬＲ装置では、判別手段４３は、冗長系をなす複数のホームメモリ局４２-1〜４２-Pの内、現用系として稼働している現用ホームメモリ局によって与えられ、かつ呼が生起した端末を示す識別情報に対応する既得履歴情報が記憶手段４１に格納されているか否かの判別を行う。
【００７２】
履歴情報処理手段４４は、その判別の結果が真であるときには、上述した識別情報に対応して記憶手段４１に格納された位置情報と既得履歴情報とを削除する。データベース保守手段４５は、現用ホームメモリ局と連係することによって、上述した識別情報と共にその現用ホームメモリ局によって与えられた新たな履歴情報を記憶手段４１に反映させ、その新たな履歴情報を上述した呼の呼設定に適用する。
【００７３】
また、履歴情報処理手段４４は、上述した判別の結果が偽であるときには、位置登録エリア以外の位置登録エリアを配下に形成する他のＶＬＲに、その履歴情報処理手段４４の代行を依頼し、この代行の過程で現用ホームメモリ局との連係に要するとりまとめを行う。
すなわち、呼処理に際して削除されるべき履歴情報は、現用ホームメモリ局ではなく、本発明にかかわるＶＬＲ装置の主導の下で削除される。
【００７４】
したがって、ホームメモリ局４２-1〜４２-pの負荷の削減に併せて、呼処理の効率および確度の向上が図られる。
請求項１１に記載の発明にかかわるＶＬＲ装置では、判別手段４３は、冗長系をなす複数のホームメモリ局４２-1〜４２-Pの内、現用系として稼働している現用ホームメモリ局によって与えられ、かつ呼が生起した端末を示す識別情報に対応する位置情報と既得履歴情報とが記憶手段４１に格納されているか否かの判別を行う。
【００７５】
履歴情報処理手段４４は、その判別の結果が真であるときには、上述した識別情報に対応して記憶手段４１に格納された位置情報と既得履歴情報とを削除する。データベース保守手段４５は、現用ホームメモリ局と連係することによって、上述した識別情報と共にその現用ホームメモリ局によって与えられた新たな履歴情報を記憶手段４１に反映させ、その新たな履歴情報を上述した呼の呼設定に適用する。
【００７６】
また、履歴情報処理手段４４は、上述した判別の結果が偽であるときには、位置登録エリア以外の位置登録エリアを配下に形成する他のＶＬＲに現用ホームメモリ局との連係と、その履歴情報処理手段４４の代行とを依頼する。
すなわち、呼処理の過程では、履歴情報の削除は、特定のＶＬＲに負荷が集中することなく行われる。
【００７７】
したがって、ホームメモリ局の負荷の削減に併せて、呼処理の効率および確度の向上が図られる。
請求項１２に記載の発明にかかわるＶＬＲ装置では、請求項８ないし請求項１１の何れか１項に記載のＶＬＲ装置において、履歴情報処理手段３４、４４は、他のＶＬＲの数と属性との双方あるいは何れか一方に適応した時間を求める。さらに、履歴情報処理手段３４、４４は、現用ホームメモリ局宛にその時間に亘って該当する呼にかかわる処理の中断の見合わせを要求する。
【００７８】
すなわち、ＶＬＲ相互間で引き渡されるべき履歴情報その他の情報の情報量、あるいはこれらの情報の宛先となるべきＶＬＲの数が多い場合であっても、認証を含む処理に要する時間が確保される。
請求項１３に記載の発明にかかわるＶＬＲ装置では、判別手段３３Ａは、他のＶＬＲ５１によって与えられ、かつ端末３０-1〜３０-nの内、呼が生起した端末を示す識別情報に対応する既得履歴情報が記憶手段３１に格納されているか否かの判別を行う。
【００７９】
履歴情報処理手段３４Ａは、判別手段３３Ａによって行われた判別の結果が真であるときに、上述した識別情報に対応して記憶手段３１に格納された既得履歴情報を他のＶＬＲ５１に与える。
データベース保守手段３５Ａは、冗長系をなす複数のホームメモリ局の内、現用系として稼働している現用ホームメモリ局と連係することによって、上述した識別情報と共にこの現用ホームメモリ局によって与えられた新たな認証情報および履歴情報を記憶手段３１に反映させる。
【００８０】
さらに、データベース保守手段３５Ａは、これらの新たな認証情報および上述した履歴情報を呼の呼設定に適用する。
また、履歴情報処理手段３４Ａは、上述した判別の結果が偽であるときには、その旨を上述した他のＶＬＲ５１に通知する。
すなわち、呼処理に際して参照されるべき認証情報および履歴情報は、現用ホームメモリ局ではなく、上述した他のＶＬＲ５１が行う処理の下で収集され、その現用ホームメモリに与えられる。
【００８１】
したがって、現用ホームメモリ局の負荷と、その現用ホームメモリ局との間で引き渡されるべき情報の情報量とが削減され、かつ呼処理の効率化とサービス品質の向上とが図られる。
請求項１４に記載の発明にかかわるＶＬＲ装置では、判別手段４３Ａは、他の位置登録エリアを形成する他のＶＬＲ５１によって与えられ、かつ端末３０-1〜３０-nの内、呼が生起した端末を示す識別情報に対応する位置情報と既得履歴情報とが記憶手段４１に格納されているか否かの判別を行う。
【００８２】
履歴情報処理手段４４Ａは、その判別の結果が真であるときに、上述した識別情報に対応して記憶手段４１に格納された位置情報と既得履歴情報とを削除する。
データベース保守手段４５Ａは、冗長系をなす複数のホームメモリ局の内、現用系として稼働している現用ホームメモリ局と連係することによって、上述した識別情報と共にこの現用ホームメモリ局によって与えられた新たな履歴情報を記憶手段４１に反映させる。
【００８３】
さらに、データベース保守手段４５Ａは、その新たな履歴情報を上述した呼の呼設定に適用する。
また、履歴情報処理手段４４Ａは、上述した判別の結果が偽であるときには、その旨を既述の他のＶＬＲ５１に通知する。
【００８４】
すなわち、呼設定に際して参照されるべき履歴情報の情報源は、上述した他のＶＬＲ５１の主導の下で求められる。
したがって、ホームメモリノード装置や特定のＶＬＲに負荷が集中することなく、効率的に認証が行われる。
請求項１５に記載の発明にかかわるＶＬＲ装置では、判別手段３３Ａは、他のＶＬＲ５１によって与えられ、かつ端末３０-1〜３０-nの内、呼が生起した端末を示す識別情報に対応する既得履歴情報が記憶手段３１に格納されているか否かの判別を行う。
【００８５】
履歴情報処理手段３４Ｂは、その判別の結果が真であるときに、識別情報に対応して上述した記憶手段３１に格納された既得履歴情報を現用系として稼働しているホームメモリ局に与える。
データベース保守手段３５Ｂは、冗長系をなす複数のホームメモリ局の内、現用系として稼働している現用ホームメモリ局と連係することによって、上述した識別情報と共にその現用ホームメモリ局によって与えられた新たな位置情報、認証情報および履歴情報を記憶手段３１に反映させる。
【００８６】
さらに、データベース保守手段３５Ｂは、これらの新たな位置情報、認証情報および履歴情報を上述した呼の呼設定に適用する。
また、履歴情報処理手段３４Ｂは、上述した判別の結果が偽であるときに、現用系として稼働しているホームメモリ局にその旨を通知する。
すなわち、呼処理に供されるべき履歴情報の情報源は、上述したホームメモリ局の主導の下で行われる選択によって定まる。
【００８７】
したがって、ホームメモリ局によって行われる処理の手順が変更されることなく、認証を伴う呼処理が確度高く行われる。
請求項１６に記載の発明にかかわるＶＬＲ装置では、判別手段４３Ａは、他の位置登録エリアを形成する他のＶＬＲ５１によって与えられ、かつ端末３０-1〜３０-nの内、呼が生起した端末を示す識別情報に対応する位置情報と既得履歴情報とが記憶手段４１に格納されているか否かの判別を行う。
【００８８】
履歴情報処理手段４４Ａは、その判別の結果が真であるときに、上述した識別情報に対応して記憶手段４１に格納された位置情報と既得履歴情報とを削除する。
データベース保守手段４５Ａは、冗長系をなす複数のホームメモリ局の内、現用系として稼働している現用ホームメモリ局と連係することによって、上述した識別情報と共にその現用ホームメモリ局によって与えられた新たな履歴情報を記憶手段４１に反映させる。
【００８９】
さらに、データベース保守手段４５Ａは、その新たな履歴情報を上述した呼の呼設定に適用する。
また、履歴情報処理手段４４Ｂは、上述した判別の結果が偽であるときに、他のＶＬＲ５１と異なるＶＬＲ５２に、現用系として稼働しているホームメモリ局との連係と、その履歴情報処理手段４４Ｂの代行とを依頼する。
【００９０】
すなわち、呼設定に供されるべき履歴情報の情報源は、上記のホームメモリ局が介在することなく、ＶＬＲから他のＶＬＲに順次引き継がれることによって定まる。
したがって、ホームメモリ局の負荷が軽減され、かつ呼処理が確度高く、効率的に行われる。
【００９１】
【発明の実施の形態】
以下、図面に基づいて本発明の実施形態について詳細に説明する。
図７は、本発明の実施形態を示す図である。
図において、図１８に示す従来例との構成の相違点については、下記の個々の実施形態によって異なるので、ここでは、その説明を省略する。
【００９２】
以下、本発明の第一の実施形態について説明する。
なお、本実施形態は、請求項１、３に記載の発明に対応する。
本実施形態と図１８に示す従来例との構成の相違点は、ホームメモリ局１１０-1、１１０-2に代えてホームメモリ１００-1、１００-2が備えられた点にある。
また、本実施形態と図１および図２に示す構成要素との対応関係については、端末１１８は端末１０-1〜１０-nに対応し、記憶手段１１、ホームメモリ局１００-1（１００-2）はホームメモリノード装置１２-1〜１２-pに対応し、ＶＬＲ１１４-1〜１１４-NはＶＬＲ１４-1〜１４-Pに対応し、ホームメモリ局１００-2（１００-1）は記憶手段１１、データベース保守手段１３、呼履歴要求手段１５、認証手段１６および待機要求手段２５に対応し、交換機１１３-1〜１１３-Nは交換局２３に対応する。
【００９３】
図８は、本発明にかかわる第一ないし第三および第六の実施形態の動作フローチャートである。
図において、従来例においても同様に行われ、かつ図２０に示す処理に対応する処理については、同じ番号を付与して示し、以下では、詳細な説明を省略する。
図９は、本発明の第一および第二の実施形態の動作を説明する図である。
【００９４】
以下、図７〜図９を参照して本実施形態の第一の実施形態の動作を説明する。
本実施形態の特徴は、ホームメモリ１００-1、１００-2が行う下記の処理の手順にある。
現用系として作動しているホームメモリ局１００-1は、交換局１１３-2の配下に形成された位置登録エリア（以下、「先行在圏エリア」という。）に位置していた移動局１１８が交換機１１３-3の配下に形成された位置登録エリア（以下、「移行先エリア」という。）に移動しつつある状態であっても、そのホームメモリ局１００-1の障害その他に起因して、ホールメモリ局１００-2によって代替され得る。
【００９５】
このような場合には、新たに現用系とした稼働を開始したホームメモリ局１００-2のデータベースは、最新のデータベースの内容、もしくは既述の差分データがホームメモリ局１００-1によって通信リンク１１１を介して与えられ、または、人手を介して更新されない限り、移動局１１８の適正なプロファイルを含まない。
さらに、移動局１１８は、「移行先エリア」において位置登録を行うべきことをチャネル制御の手順に基づいて識別すると、交換機１１３-3宛に既述の「位置登録要求」を送出する（図９(1))。
【００９６】
また、交換機１１３-3、ＶＬＲ１１４-3およびホームメモリ局１００-2は、従来例と同様にして連係する（図９(2)〜(4)）。
したがって、このような連係の過程では、ホームメモリ局１００-2は、先行在圏エリアに対応するＶＬＲ１１４-2とは異なるＶＬＲ（ここでは、簡単のため、符号「１１４-1」で示されると仮定する。）宛に既述の「呼履歴カウント要求」を送出する（図９(5))。
【００９７】
しかし、ＶＬＲ１１４-1は、その「呼履歴カウント要求」に含まれる識別情報で示される移動局１１８の呼履歴カウントを何ら保持していない（図９(6))ために、その旨を示すステータスを含む「呼履歴カウント通知」をホームメモリ局１００-2宛に送出する（図９(7))。
ホームメモリ局１００-2は、このような「呼履歴カウント通知」を識別すると、その「呼履歴カウント通知」に所望の呼履歴カウントが含まれるか否かを判別し（図８(A))、その判別の結果が真である場合には、従来例と同様の処理（ここでは、簡単のため、詳細な説明を省略する。）を行う。
【００９８】
しかし、この「呼履歴カウント通知」に上述したステータスが含まれ、あるいは所定の期間に亘ってその「呼履歴カウント通知」が得られなかった場合には、ホームメモリ局１００-2は、先行して送出した「呼履歴カウント要求」の宛先となったＶＬＲ（ここでは、ＶＬＲ１１４-1のみであると仮定する。）を除く単一または複数のＶＬＲを所定の基準に基づいて選択する（図８(B))。
【００９９】
また、ホームメモリ局１００-2は、このような基準を満たすＶＬＲがない場合には、該当する位置登録にかかわる処理を中断する。
しかし、その基準を満たす何らかのＶＬＲを選択することができた場合には、ホームメモリ局１００-2は、共通線信号網１１２を介してそのＶＬＲ（ここでは、簡単のため、ＶＬＲ１１４-2のみであると仮定する。）宛に、上述した「呼履歴カウント要求」を送出する（図８(C)、図９(A)) 。
【０１００】
ＶＬＲ１１４-2は、この時点では、移動局１１８の「先行在圏エリア」に対応するので、上述した「呼履歴カウント要求」を識別すると、その「呼履歴カウント要求」に含まれる識別情報に対応する「呼履歴カウント」を取得し、かつ共通線信号網１１２を介してホームメモリ局１００-2宛に、その「呼履歴カウント」を含む「呼履歴カウント通知」を送出する（図９(B))。
【０１０１】
すなわち、移動局１１８が行う位置登録とは非同期にホームメモリ１００-1、１００-2の再構成が行われた場合であっても、現用系として作動するホームメモリのデータベースについては、その移動局１１８が実際に位置する位置登録エリアとの整合が確実に図られる。
したがって、本実施形態によれば、冗長に備えられたホームメモリ１００-1、１００-2の下で確度高く位置登録が行われ、かつサービス品質および信頼性が高められる。
【０１０２】
なお、本実施形態では、上述した基準が詳細に示されていない。
しかし、このような基準については、「呼履歴カウント要求」の宛先として所望の要件を具備するＶＬＲの選定が可能であるならば、如何なるものであってもよく、あるいは共通線信号網１１２のトラヒックの増加や位置登録にかかわるチャネル制御の応答性の低下が許容されるならば、その共通線信号網１１２を介して対向する全てのＶＬＲを選定するものであってもよい。
【０１０３】
また、本実施形態では、有効な「呼履歴カウント通知」に応じて認証処理（図８(2))を完了し、かつ移行先の位置登録エリアに対応するＶＬＲ１１４-3によって「位置登録続行要求」が与えられたときには、従来例と同様にして「登録消去要求」を送出する（図８(4)、図９(14)）。
しかし、この「登録消去要求」の宛先となるべきＶＬＲについては、『上述した有効な「呼履歴カウント通知」にその「呼履歴カウント通知」の送出元であるＶＬＲ１１４-2（移行元の位置登録エリアに対応する。）によって付加され、このＶＬＲ１１４-2を示す識別情報としてホームメモリ局１００-2に与えられる』点で、従来例と異なる。
【０１０４】
さらに、このような識別情報については、ホームメモリ局１００-2は、現用系として作動する限り、呼設定やチャネル制御に適応した手順で行われるべき処理の過程で適宜参照する。
したがって、この処理の効率的は、本願発明が有効に適用されつつ、高く維持される。
【０１０５】
また、本実施形態では、再送信される「呼履歴カウント要求」の宛先がＶＬＲ１１４-2のみとなっているが、上述した基準に基づいて選定されたＶＬＲの数は複数であってもよい。
さらに、このような場合には、選定されたＶＬＲの全てあるいは一部に対して「呼履歴カウント要求」が同報伝送されることによって、位置登録に共される資源が削減され、あるいは効率的に位置登録が行われてもよい。
【０１０６】
以下、本発明の第二の実施形態について説明する。
なお、本実施形態は、請求項２に記載の発明に対応する。
本実施形態と上述した第一の実施形態との構成の相違点は、ホームメモリ局１００-1、１００-2に代えてホームメモリ局１００Ａ-1、１００Ａ-2が備えられた点にある。
【０１０７】
また、本実施形態と図２に示す構成要素との対応関係については、ホームメモリ局１００Ａ-1（１００Ａ-2）が記憶手段１１、データベース保守手段２１および位置情報整合手段２２に対応する点を除いて、既述の第一の実施形態における対応関係と同じである。
以下、図７〜図９を参照して本実施形態の動作を説明する。
【０１０８】
本実施形態の特徴は、ホームメモリ局１００Ａ-1、１００Ａ-2が行う下記の処理の手順にある。
ホームメモリ局１００Ａ-1、１００Ａ-2の内、現用系として作動するホームメモリ局（ここでは、簡単のため、符号「１００Ａ-2」で示されると仮定する。）は、下記の何れかの要件を満たす場合には、図９に点線で示すように、「呼履歴カウント要求」を送出する処理と、その「呼履歴カウント要求」の宛先となったＶＬＲから「呼履歴カウント通知」を受信する処理とを行うことなく、移動局１１８について既述の認証を行い、あるいはその認証が完了したことを認識することができる。
【０１０９】
・  移動局１１８の「呼履歴カウント」をプロフィールの一部として有する。
・  自局が予備系から現用系のホームメモリとなる時点に先行して通信リンク１１１を介してホームメモリ局１００Ａ-1から与えられた差分データ等に基づいて、認証が完了した旨を示す情報が正常に引き渡された。
また、ホームメモリ局１００Ａ-2は、現用のホームメモリ局として上述した認証を行い、あるいはその認証が完了したとの認識をした後には、図９(9)〜(25) に示すように、従来例と同様にＶＬＲ１１４-2、１１４-3、交換機１１３-2、１１３-3および移動局１１８と連係することによって、その移動局１１８の位置登録にかかわる処理を試行する。
【０１１０】
しかし、このような処理の過程では、ホームメモリ局１００Ａ-2は、例えば、移動局１１８のプロフィールの内、既述の先行在圏エリアと移行先エリアとを示す情報が先行して現用系として稼働したいたホームメモリ局１００Ａ-1から引き渡されていない限り、「登録消去要求」を送出する（図９(14)) 際には、その「登録消去要求」の宛先となるべきＶＬＲ１１４-2を正常に識別できない。
【０１１１】
すなわち、ホームメモリ局１００Ａ-2がＶＬＲ１１４-2以外のＶＬＲ宛に上述した「登録消去要求」を送出した場合には、そのＶＬＲに対応する交換機は、実体のない位置登録要求に応答しようとしても所定の処理（図９(15)〜(17)に示される。）を正常に行うことができない。
したがって、このＶＬＲは、ホームメモリ局１００Ａ-2宛に「消去完了通知」を送出する（図９(18)) ことは必ずしもできない。
【０１１２】
ホームメモリ局１００Ａ-2は、既述の「登録消去要求」を送出した時点から所定の時間Ｔmax に亘って「消去完了通知」が得られない場合には、その「登録消去要求」の宛先となったＶＬＲ以外のＶＬＲを所定の基準に基づいて選択する（図８(D))。
さらに、ホームメモリ局１００Ａ-2は、このような基準に基づいて何からのＶＬＲの選択が選択できる（以下、このようにして選択されたＶＬＲについては、「代替ＶＬＲ」という。）限り、その代替ＶＬＲ宛に同様の「登録消去要求」を送出し（図８(E)、図９(C))、かつ「消去完了通知」（図９(d))を待ち受ける処理を反復する。
【０１１３】
したがって、移動局１１８については、上述した代替ＶＬＲとして既述の先行在圏エリアに対応するＶＬＲが選択され得る限り、「呼履歴カウント」がホームメモリ局１００Ａ-1、１００Ａ-2にプロフィールの一部として予め蓄積されている場合であっても、これらのホームメモリ１００Ａ-1、１００Ａ-2の再構成が行われる時点の如何にかかわらず、安定に、かつ確度高く位置登録が行われる。
【０１１４】
なお、上述した各実施形態では、「呼履歴カウント要求」の宛先となるべきＶＬＲの数が多い場合には、個々のＶＬＲが「呼履歴カウント要求」を待ち受けるべき期間の長さを延長するべき旨を示すコマンドがホームメモリ１００-2によって送出されてもよい。
【０１１５】
以下、本発明の第三の実施形態について説明する。
なお、本実施形態は、請求項４に記載の発明に対応する。
本実施形態の構成については、既述の第二の実施形態の構成と同じであるので、ここでは、その説明を省略する。
また、本実施形態と図１に示す構成要素との対応関係については、既述の第一の実施形態における対応関係と同じである。
【０１１６】
以下、図７〜図９を参照して本実施形態の動作を説明する。
本実施形態と既述の第二の実施形態との相違点は、ホームメモリ局１００Ａ-2が現用系のホームメモリ局として行う下記の処理の手順にある。
ホームメモリ局１００Ａ-1、１００Ａ-2にそれぞれデータベースとして蓄積されるべきプロフィールは、個々の移動局の識別情報に対応し、かつ更新された時点で該当するホームメモリ局が現用系と予備系との何れとして稼働していたかを示す系構成識別子を特定のフィールドに含むレコードの集合として構成される。
【０１１７】
なお、この系構成識別子の値については、以下では、簡単のため、該当するホームメモリ局が現用系として稼働している場合には「１」に設定され、反対に予備系として稼働している場合には「０」に設定されると仮定する。
ところで、ホームメモリ局１００Ａ-2が予備系から現用系として稼働を開始した時点では、そのホームメモリ局１００Ａ-2に蓄積されたプロフィールの全てのレコードの系構成識別子は「０」に設定されている。
【０１１８】
しかし、現用系として稼働している期間に正規のチャネル制御の手順に基づいて位置情報が更新された移動局については、ホームメモリ局１００Ａ-2は、その移動局の識別子に対応したレコードのフィールドの内、系構成識別子フィールドの値を「１」に更新する。
また、ホームメモリ局１００Ａ-2は、既述の第一の実施形態または第二の実施形態と同じ手順に基づいて「呼履歴カウント要求」を送出する（図８(1)、(C) 図９(5)、(A))際には、上述したレコードの内、その「呼履歴カウント要求」に含まれる識別情報に対応したレコードについて、系構成識別子フィールドの値が「０」であるか否かを判別する。
【０１１９】
さらに、ホームメモリ局１００Ａ-2は、その判別の結果が真である場合には、該当する「呼履歴カウント要求」の送出を省略する。
すなわち、「呼履歴カウント要求」は、現用系のホームメモリの配下で正常に位置登録が完結した位置登録エリアのＶＬＲのみに対して送出される。
したがって、本実施形態によれば、位置登録が行われるべき移動局が位置していない位置登録エリアのＶＬＲに対して「呼履歴カウント要求」が発せられることに起因する無用な資源の消費と、チャネル制御の効率、応答性およびサービス品質の低下とが回避される。
【０１２０】
以下、本発明の第四の実施形態について説明する。
なお、本実施形態は、請求項８、１３に記載の発明に対応する。
本実施形態と既述の第一ないし第三の実施形態との構成の相違点は、ＶＬＲ１１４-1〜１１４-Nに代えてＶＬＲ１０１-1〜１０１-Nが備えられた点にある。
また、本実施形態と図３および図５に示す構成要素との対応関係については、移動局１１８は端末３０-1〜３０-nに対応し、ホームメモリ局１００Ａ-1、１００Ａ-2はホームメモリノード装置３２-1〜３２-pに対応し、ＶＬＲ１０１-1〜１０１-Nは記憶手段３１、判別手段３３、３３Ａ、履歴情報処理手段３４、３４Ａおよびデータベース保守手段３５、３５Ａに対応する。
【０１２１】
図１０は、本発明の第四および第八の実施形態の動作フローチャートである。
図において、従来例においても同様に行われ、かつ図２２に示す処理に対応する処理については、同じ番号を付与して示し、以下では、詳細な説明を省略する。
図１１は、本発明の第四および第八の実施形態の動作を説明する図である。
図において、従来例においても同様に行われ、かつ図１９に示すメッセージに対応するメッセージの引き渡しについては、同じ番号を付与して示し、以下では、詳細な説明を省略する。
【０１２２】
以下、図７、図１０および図１１を参照して本実施形態の動作を説明する。
本実施形態の特徴は、ＶＬＲ１０１-1〜１０１-Nが行う下記の処理の手順にある。
ＶＬＲ１０１-1〜１０１-Nは、それぞれ自局によって形成される位置登録エリアの周辺に配置された他の位置登録エリア（以下、単に「周辺エリア」という。）を形成するＶＬＲについて、個別のユニークな識別子（以下、「周辺ＶＬＲ識別子」という。）と相対距離とが予め登録されたデータベースを有する。
【０１２３】
現用系として作動しているホームメモリ局１００-1は、交換局１１３-2の配下に形成された「先行在圏エリア」に位置していた移動局１１８が交換機１１３-3の配下に形成された「移行先エリア」に移動しつつある状態であっても、そのホームメモリ局１００-1の障害その他に起因して、ホームメモリ局１００-2によって代替され得る。
【０１２４】
このような場合には、新たに現用系として稼働を開始したホームメモリ局１００-2のデータベースは、最新のデータベースの内容、もしくは既述の差分データがホームメモリ局１００-1から通信リンク１１１を介して与えられ、または、人手を介して更新されない限り、移動局１１８の適正なプロファイルを含まない。
さらに、移動局１１８は、「移行先エリア」において位置登録を行うべきことをチャネル制御の手順に基づいて識別すると、交換機１１３-3宛に既述の「位置登録要求」を送出する（図１１(1))。
【０１２５】
また、交換機１１３-3、ＶＬＲ１０１-3およびホームメモリ局１００-2は、従来例と同様にして連係する（図１１(2)〜(4)）。
このような連係の過程では、ホームメモリ局１００-2は、先行在圏エリアに対応するＶＬＲ１０１-2とは異なる何らかのＶＬＲ（ここでは、簡単のため、符号「１０１-1」で示されると仮定する。）を選定し、そのＶＬＲ宛に既述の「呼履歴カウント要求」を送出する（図１１(5))。
【０１２６】
なお、この「呼履歴カウント要求」には、送信元がホームメモリ局１００-2であって何れのＶＬＲでもないことを論理値「１」で示すフラグが含まれる。
ＶＬＲ１０１-1は、その「呼履歴カウント要求」を識別すると、この「呼履歴カウント要求」に含まれる識別情報で示される移動局１１８について、呼履歴カウントがその移動局１１８のプロファイルとして自局に保持されているか否かの判別を行う（図１０(A)、図１１(A))。
【０１２７】
さらに、ＶＬＲ１０１-1は、その判別の結果が真である場合には、従来例と同様の処理を行う。なお、このような場合において、ＶＬＲ１０１-1と、そのＶＬＲ１０１-1と連係する各部とによって行われる処理については、ここではその説明を省略する。
しかし、上述した判別の結果が偽である場合には、ＶＬＲ１０１-1は、該当する「呼履歴カウント要求」に含まれるフラグの論理値が「１」であるか否かを判別する（図１０(B))。
【０１２８】
さらに、ＶＬＲ１０１-1は、その判別の結果が真である場合に限って、既述の周辺エリアの内、自局が形成する位置登録エリアに対する相対距離が小さい順に対応する周辺ＶＬＲ識別子を優先しつつ、個々の周辺ＶＬＲ識別子に基づいて下記の処理(1) 〜(7) を行う。
(1) 上述した「呼履歴カウント要求」に含まれるフラグの論理値を「０」に更新する（図１０(C))。なお、このようにしてフラグの論理値が更新された「呼履歴カウント要求」についても、以下では、簡単のため、単に「呼履歴カウント要求」と称することとする。
【０１２９】
(2) ＶＬＲ１０１-1〜１０１-Nの内、周辺ＶＬＲ識別子で示されるＶＬＲ（以下、代替ＶＬＲ」という。）宛に、共通線信号網１１２を介して上述した「呼履歴カウント要求」を送出する（図１０(D)、図１１(B))。
【０１３０】
(3) その「呼履歴カウント要求」に対して「代替ＶＬＲ」から後述する「履歴カウント通知」を所定の時間に亘って待ち受ける。
(4) その「呼履歴カウント通知」が得られた場合には、この「呼履歴カウント通知」に有効な「呼履歴カウント」が含まれるか否かを判別する（図１０(E))。
(5) この判別の結果が真である場合には、共通線信号網１１２を介してホームメモリ局１００-2宛に、該当する「呼履歴カウント通知」（ここでは、簡単のため、送信元の代替ＶＬＲを示す周辺ＶＬＲ識別子を含むと仮定する。）を送出する（図１０(F)、図１１(C))。
【０１３１】
(6) しかし、上述した判別の結果が偽である場合、あるいは上記の時間が経過した場合には、後続して適用されるべき他のＶＬＲがあるか否かを判別する（図１０(G))。
(7) その判別の結果が偽である場合には、共通線信号網１１２を介してホームメモリ局１００-2宛に、その旨を示すステータスを含む「呼履歴カウント通知」を送出する（図１０(H))。
【０１３２】
(8) しかし、この判別の結果が真である場合には、後続して適用されるべき周辺ＶＬＲ識別子に基づいて、上記(1)〜(7)の処理を行う。
一方、代替ＶＬＲは、上述した「呼履歴カウント通知」が与えられると、この「呼履歴カウント要求」に含まれる識別情報で示される移動局１１８について、呼履歴カウントがその移動局１１８のプロファイルとして自局に保持されているか否かの判別を行う（図１０(a)、図１１(a))。
【０１３３】
さらに、代替ＶＬＲは、その判別の結果が真である場合には、共通線信号網１１２を介して上述した「呼履歴カウント要求」の送信元であるＶＬＲ宛に、「呼履歴カウント通知」を送出する（図１０(b)、図１１(b))。
しかし、上述した判別の結果が偽である場合には、代替ＶＬＲは、該当する「呼履歴カウント要求」に含まれるフラグの論理値が「１」であるか否かを判別する（図１０(c))。
【０１３４】
しかし、このような判別の結果については、既述の処理の過程でフラグの論理値が「０」に設定されるために、代替ＶＬＲでは、真として識別されることはない。
したがって、代替ＶＬＲは、上記の処理(1)〜(8)を行うことなく、共通線信号網１１２を介して上述した「呼履歴カウント要求」の送信元であるＶＬＲ宛に、『「呼履歴カウント」が得られなかったこと』を示すステータスを含む「呼履歴カウント通知」を送出する（図１０(d))。
【０１３５】
一方、ホームメモリ局１００-2は、ＶＬＲ１０１-1によって何らかの「呼履歴カウント通知」が与えられると、その「呼履歴カウント通知」に所望の呼履歴カウントが含まれるか否かを判別し、その判別の結果が真である場合には、この呼履歴カウントと共に含まれる識別子（ＶＬＲ１０１-1を示す識別子あるいは既述の周辺ＶＬＲ識別子）で示されるＶＬＲと直接連係する点を除いて、従来例と同様の処理（図１１(D)、(9)〜(25))（ここでは、簡単のため、詳細な説明を省略する。）を行う。
【０１３６】
しかし、この「呼履歴カウント通知」に既述のステータスが含まれ、あるいは所定の期間に亘ってその「呼履歴カウント通知」が得られなかった場合には、該当する移動局１１８にかかわるプロフィールの参照、更新および認証を見合わせる。
すなわち、位置登録が行われるべき移動局１１８の呼履歴カウントは、ホームメモリ局１００-2に代わってＶＬＲ１０１-1が行う主導的な処理の下で収集され、かつホームメモリ局１００-2に与えられる。
【０１３７】
したがって、本実施形態によれば、既述の第一ないし第三の実施形態に比べて、ホームメモリ局１００-1、１００-2の負荷と、これらのホームメモリ局１００-1、１００-2と個々のＶＬＲとの間で引き渡されるべき情報の情報量との削減に併せて、位置登録の効率化と、サービス品質の向上とが図られる。
【０１３８】
以下、本発明の第五の実施形態について説明する。
なお、本実施形態は、請求項６、９、１５に記載の発明に対応する。
本実施形態と既述の第四の実施形態との構成の相違点は、ＶＬＲ１０１-1〜１０１-Nに代えて、ＶＬＲ１０１Ａ-1〜１０１Ａ-Nが備えられた点にある。
また、本実施形態と図１、図３および図５に示す構成要素との対応関係については、ホームメモリ局１００-1、１００-2が記憶手段１１、データベース保守手段１３Ｂ、呼履歴要求手段１５Ｂおよび認証手段１６Ｂに対応し、ＶＬＲ１０１Ａ-1〜１０１Ａ-Nが記憶手段３１、判別手段３３、３３Ａ、履歴情報処理手段３４、３４Ｂおよびデータベース保守手段３５Ｂに対応する点を除いて、既述の第一ないし第三の実施形態における対応関係と同じである。
【０１３９】
図１２は、本発明の第五の実施形態の動作フローチャートである。
図において、従来例においても同様に行われ、かつ図２２に示す処理に対応する処理については、同じ番号を付与して示し、以下では、詳細な説明を省略する。
図１３は、本発明の第五の実施形態の動作を説明する図である。
図において、従来例においても同様に行われ、かつ図１９に示すメッセージに対応するメッセージの引き渡しについては、同じ番号を付与して示し、以下では、詳細な説明を省略する。
【０１４０】
以下、図７、図１２および図１３を参照して本実施形態の動作を説明する。
本実施形態と既述の第四の実施形態との相違点は、ＶＬＲ１０１Ａ-1〜１０１Ａ-Nが行う下記の処理の手順にある。
ＶＬＲ１０１-1〜１０１-Nは、それぞれ自局によって形成される位置登録エリアの周辺に配置された位置登録エリアである「周辺エリア」を形成するＶＬＲについて、個別のユニークな周辺ＶＬＲ識別子と、相対距離とが予め登録されたデータベースを有する。
【０１４１】
現用系として作動しているホームメモリ局１００-1は、交換局１１３-2の配下に形成された「先行在圏エリア」に位置していた移動局１１８が交換機１１３-3の配下に形成された「移行先エリア」に移動しつつある状態であっても、そのホームメモリ局１００-1の障害その他に起因して、ホールメモリ局１００-2によって代替され得る。
【０１４２】
このような場合には、新たに現用系として稼働を開始したホームメモリ局１００-2のデータベースは、最新のデータベースの内容、もしくは既述の差分データがホームメモリ局１００-1から通信リンク１１１を介して与えられ、または、人手を介して更新されない限り、移動局１１８の適正なプロファイルを含まない。
さらに、移動局１１８は、「移行先エリア」において位置登録を行うべきことをチャネル制御の手順に基づいて識別すると、交換機１１３-3宛に既述の「位置登録要求」を送出する（図１３(1))。
【０１４３】
また、交換機１１３-3、ＶＬＲ１０１-3およびホームメモリ局１００-2は、従来例と同様にして連係する（図１３(2)〜(4)）。
このような連係の過程では、ホームメモリ局１００-2は、先行在圏エリアに対応するＶＬＲ１０１-2とは異なる何らかのＶＬＲ（ここでは、簡単のため、符号「１０１-1」で示されると仮定する。）を選定し、そのＶＬＲ宛に既述の「呼履歴カウント要求」を送出する（図１３(5))。
【０１４４】
なお、この「呼履歴カウント要求」には、既述のフラグは含まれない。
ＶＬＲ１０１-1は、その「呼履歴カウント要求」を識別すると、この「呼履歴カウント要求」に含まれる識別情報で示される移動局１１８について、呼履歴カウントがその移動局１１８のプロファイルとして自局に保持されているか否かの判別を行う（図１２(A)、図１３(A))。
【０１４５】
さらに、ＶＬＲ１０１-1は、その判別の結果が真である場合には、従来例と同様の処理を行う。なお、このような場合において、ＶＬＲ１０１-1と、そのＶＬＲ１０１-1と連係する各部とによって行われる処理については、ここではその説明を省略する。
しかし、上述した判別の結果が偽である場合には、ＶＬＲ１０１-1は、下記の処理(a)〜(c)を行う。
【０１４６】
(a) 該当する「呼履歴カウント要求」に、その「呼履歴カウント要求」の送信元であるホームメモリ局１００-2を示すＨＬＲ識別子を付加する（図１２(B))。
なお、このようにしてＨＬＲ識別子が付加されてなる「呼履歴カウント要求」については、以下では、簡単のため、単に「呼履歴カウント要求」と称することとする。
【０１４７】
(b) ＶＬＲ１０１-1〜１０１-Nの内、個々の周辺ＶＬＲ識別子で示される代替候補ＶＬＲの全て宛に、共通線信号網１１２を介してその「呼履歴カウント要求」を送出する（図１２(D)、図１３(B))。
(c) 共通線信号網１１２を介してホームメモリ局１００-2宛に、『「呼履歴カウント」が得られなかったこと』を示すステータスを含む「呼履歴カウント通知」（ここでは、簡単のため、送信元の代替ＶＬＲを示す周辺ＶＬＲ識別子を含むと仮定する。）を送出する（図１２(F)、図１３(C))。
【０１４８】
また、代替候補ＶＬＲは、ＶＬＲ１００-1によって与えられた「呼履歴カウント要求」を識別すると、既述の「呼履歴カウント通知」（図１３(D))および「消去完了通知」（図１３(18)) の宛先として、上述したＨＬＲ識別子で示されるホームメモリ局１００-2を選定する点を除いて従来例と同様の処理を行う。
すなわち、位置登録が行われるべき移動局が位置する位置登録エリアに対応する代替候補ＶＬＲは、現用のホームメモリ局１００-2との間における種々の情報の引き渡しについては、ＶＬＲ１０１-1の仲介の下ではなく、そのＶＬＲ１０１-1に代わって直接ホームメモリ局１００-2と直接連係することによって行うことができる。
【０１４９】
したがって、本実施形態によれば、既述の第四の実施形態に比べて、特定のＶＬＲに負荷が集中することなく、効率的に位置登録が行われる。
また、本実施形態では、第一ないし第三の実施形態に比べて、ホームメモリ局１００-1、１００-2の負荷と、これらのホームメモリ局１００-1、１００-2の間で引き渡されるべき情報の情報量との削減に併せて、位置登録の効率化と、サービス品質の向上とが図られる。
【０１５０】
以下、本発明の第六の実施形態について説明する。
なお、本実施形態は、請求項１０、１４に記載の発明に対応する。
本実施形態と既述の第五の実施形態との構成の相違点は、ＶＬＲ１０１Ａ-1〜１０１Ａ-Nに代えて、ＶＬＲ１０１Ｂ-1〜１０１Ｂ-Nが備えられた点にある。
また、本実施形態と図９に示す構成要素との対応関係については、ＶＬＲ１０１Ｂ-1〜１０１Ｂ-Nが記憶手段４１、判別手段４３、４３Ａ、履歴情報処理手段４４、４４Ａおよびデータベース保守手段４５、４５Ａに対応する点を除いて、既述の第一ないし第四の実施形態における対応関係と同じである。
【０１５１】
図１４は、本発明の第六の実施形態の動作フローチャートである。
図１５は、本発明の第六の実施形態の動作を説明する図である。
以下、図７、図１４および図１５を参照して本実施形態の動作を説明する。
本実施形態の特徴は、ＶＬＲ１０１Ｂ-1〜１０１Ｂ-Nが行う下記の処理の手順にある。
【０１５２】
ホームメモリ局１００Ａ-1、１００Ａ-2の内、現用系として作動するホームメモリ局（ここでは、簡単のため、符号「１００Ａ-2」で示されると仮定する。）は、下記の何れかの要件を満たす場合には、図１５に点線で示すように、「呼履歴カウント要求」を送出する処理と、その「呼履歴カウント要求」の宛先となったＶＬＲから「呼履歴カウント通知」を受信する処理とを行うことなく、移動局１１８について既述の認証を行い、あるいはその認証が完了したとの認識を行うことができる。
【０１５３】
・  移動局１１８の「呼履歴カウント」をプロフィールの一部として有する。
・  自局が予備系から現用系のホームメモリ局となる時点に先行して通信リンク１１１を介してホームメモリ局１００Ａ-1から与えられた差分データ等に基づいて、認証が完了した旨を示す情報が正常に引き渡された。
ところで、ＶＬＲ１０１-1〜１０１-Nは、それぞれ自局によって形成される位置登録エリアの周辺に配置され、その位置登録エリアに位置していた移動局が移動することによって位置し得る周辺エリアを形成するＶＬＲについて、個別のユニークな「周辺ＶＬＲ識別子」と相対距離とが予め登録されたデータベースを有する。
【０１５４】
また、ホームメモリ局１００Ａ-2は、現用のホームメモリ局として上述した認証を行い、あるいはその認証が完了したとの認識をした後には、図１５(9)〜(25)に示す手順に基づいて、ＶＬＲ１０１Ｂ-2、１０１Ｂ-3、交換機１１３-2、１１３-3および移動局１１８との連係を従来例と同様に行うことによって、その移動局１１８の位置登録にかかわる処理を試行する。
【０１５５】
しかし、このような処理の過程では、ホームメモリ局１００Ａ-2は、例えば、移動局１１８のプロフィールの内、既述の先行在圏エリアと移行先エリアとを示す情報が先行して現用系のホームメモリ局１００Ａ-1から引き渡されていない限り、「登録消去要求」を送出する（図１５(14)) 際には、その「登録消去要求」の宛先となるべきＶＬＲ１０１Ｂ-2を正常に決定することができない。
【０１５６】
したがって、ホームメモリ局１００Ａ-2は、例えば、移動局１１８が先行して位置していた位置登録エリアに対応するＶＬＲ１０１Ｂ-1宛に、「登録消去要求」を送出する（図１５(A))。
このような場合には、ＶＬＲ１０１Ｂ-1は、その「登録消去要求」を識別すると、この「登録消去要求」に含まれる識別情報で示される移動局１１８のプロファイルが自局に保持されているか否かを判別する（図１４(A)、図１５(B))。
【０１５７】
さらに、ＶＬＲ１０１Ｂ-1は、その判別の結果が真である場合には、共通線信号網１１２を介して対応する交換機１１３-1宛に、この「登録消去要求」を転送する（図１４(B)、図１５(C))。
交換機１１３-1は、この「登録消去要求」を識別すると、その「登録消去要求」に含まれる識別情報に対応したプロファイルを消去する（図１５(D))。
【０１５８】
さらに、交換機１１３-1は、このようにしてプロファイルが消去されことを意味し、この識別情報を含む「消去完了通知」を生成すると共に、共通線信号網１１２を介してＶＬＲ１０１Ｂ-1宛に、その「消去完了通知」を送出する（図１５(E)) 。
ＶＬＲ１０１Ｂ-1は、この「消去完了通知」を識別する（図１５(F))と、その「消去完了通知」に含まれる識別情報に対応したプロファイルを消去する（図１４(7))と共に、ホームメモリ局１１０-1宛に、この「消去完了通知」を送出する（図１４(D)、図１５(G))。
【０１５９】
なお、この「消去完了通知」には、ＶＬＲ１０１Ｂ-1を示す「送信元識別子」が含まれる。
しかし、上述した判別の結果が偽である場合には、ＶＬＲ１０１Ｂ-1は、「周辺ＶＬＲ識別子」で示される個々のＶＬＲ（以下、「代替候補ＶＬＲ」という。）宛に、既述の「登録消去要求」を送出する（図１４(E)、図１５(H))。
【０１６０】
なお、この「登録消去要求」には、送信元であるＶＬＲ１０１Ｂ-1を示す「送信元識別子」が含まれる。
個々の代替候補ＶＬＲでは、上述した「登録消去要求」を識別すると、この「登録消去要求」に含まれる識別情報で示される移動局１１８のプロファイルが自局に保持されているか否かを判別する（図１４(F))。
【０１６１】
さらに、代替候補ＶＬＲは、その判別の結果が真である場合に限って、共通線信号線１１２を介して対応する交換機（以下では、簡単のため、符号「１１３-2」で示されると仮定する。）宛に、この「登録消去要求」を転送する（図１４(G))。
交換機は、この「登録消去要求」を識別すると、その「登録消去要求」に含まれる識別情報に対応したプロファイルを消去する（図１５(16))。
【０１６２】
さらに、交換機は、このようにしてプロファイルが消去されことを意味し、この識別情報と、対応する「登録消去要求」に含まれる送信元識別子とを含む「消去完了通知」を生成すると共に、共通線信号網１１２を介して対応する代替候補ＶＬＲ宛に、その「消去完了通知」を送出する（図１５(17)) 。
代替候補ＶＬＲは、その「消去完了通知」に含まれる識別情報に対応したプロファイルを消去し（図１４(H))、かつこの「消去完了通知」に含まれる送信元識別子が他のＶＬＲを示すか否かを判別する（図１４(I))。
【０１６３】
さらに、代替候補ＶＬＲは、その判別の結果が真である場合に限って、共通線信号網１１２を介してこの送信元識別子で示されるＶＬＲ１０１Ｂ-1宛に、上述した「消去完了通知」を送出する（図１４(J)、図１５(H))。
また、ＶＬＲ１０１Ｂ-1は、何らかの代替候補ＶＬＲ宛に上述した「登録消去要求」を送出した時点から経過した所定の時間Ｔmax に亘って、このような「消去完了通知」を待ち受ける。
【０１６４】
さらに、ＶＬＲ１０１Ｂ-1は、その「消去完了通知」を識別する（図１５(I))と、その「消去完了通知」に含まれる送信元識別情報がＶＬＲ１０１Ｂ-1に相当するか否かを判別する（図１４(K))。
このような判別の結果については、ＶＬＲ１０１Ｂ-1が上述した「登録消去要求」の送信元であるので、必ず「真」となる。
【０１６５】
したがって、ＶＬＲ１０１Ｂ-1は、その判別の結果が「真」である場合に限って、上述した「消去完了通知」をホームメモリ局１００Ａ-2宛に送出する（図１４(L)、図１５(J))。
しかし、ＶＬＲ１０１Ｂ-1は、上述した時間Ｔmax が経過した時点で、何れかの代替候補ＶＬＲからも「消去完了通知」が与えられなかった場合には、その旨を示すステータスを含み、かつこのＶＬＲ１０１Ｂ-1の識別情報を送信元識別子として含む「消去完了通知」をホームメモリ局１００Ａ-2宛に送出する。
【０１６６】
ホームメモリ局１００Ａ-2は、既述の「消去完了通知」の何れかが与えられると、その「消去完了通知」に上述したステータスが含まれない限り、この「消去完了通知」に含まれる送信元識別子で示されるＶＬＲと連係することによって、移動局１１８の位置登録にかかわる一連の処理を行う。
したがって、移動局１１８については、既述の代替候補ＶＬＲが適正に選択され得る限り、ホームメモリ局１００Ａ-1、１００Ａ-2の再構成が如何なる時点で行われた場合であっても、安定に、かつ確度高く位置登録が行われる。
【０１６７】
以下、本発明の第七の実施形態について説明する。
なお、本実施形態は、請求項７、１１、１６に記載の発明に対応する。
本実施形態と既述の第六の実施形態との構成の相違点は、ＶＬＲ１０１Ｂ-1〜１０１Ｂ-Nに代えてＶＬＲ１０１Ｃ-1〜１０１Ｃ-Nが備えられた点にある。
また、本実施形態と図１０に示す構成要素との対応関係については、ホームメモリ局１００Ａ-1、１００Ａ-2が記憶手段１１、データベース保守手段１３Ｂ、呼履歴要求手段１５Ｂおよび認証手段１６Ｂに対応し、、ＶＬＲ１０１Ｃ-1〜１０１Ｃ-Nが記憶手段４１、判別手段４３、４３Ａ、履歴情報処理手段４４、４４Ａおよびデータベース保守手段４５、４５Ａに対応する点を除いて、既述の第一ないし第四の実施形態における対応関係と同じである。
【０１６８】
図１６は、本発明の第七の実施形態の動作フローチャートである。
図１７は、本発明の第七の実施形態の動作を説明する図である。
以下、図７、図１６および図１７を参照して本実施形態の動作を説明する。
【０１６９】
ＶＬＲ１０１Ｃ-1〜１０１Ｃ-Nは、既述の第六の実施形態と同様にして、ホームメモリ局によって与えられた（図１７(B))「登録消去要求」に含まれる識別情報で示される移動局１１８のプロファイルが自局に保持されているか否かを判別する（図１６(A))。
しかし、その判別の結果が偽である場合に、これらのＶＬＲ１０１Ｃ-1〜１０１Ｃ-Nによって行われる処理については、後述するように上述した第六の実施形態において行われる処理と異なる。
【０１７０】
なお、以下では、既述の第六の実施形態との対比を容易とするために、ＶＬＲ１０１Ｃ-1のみに着目することとする。
ＶＬＣ１０１Ｃ-1は、上述した判別の結果が偽である場合には、データベースとして予め与えられた全ての「周辺ＶＬＲ識別子」で個々に示される代替候補ＶＬＲ宛に、既述の「登録消去要求」を送出する（図１６(E))。
【０１７１】
なお、この「登録消去要求」には、既述の第六の実施形態において付加されていた「送信元識別子」は何ら含まれない。
個々の代替候補ＶＬＲでは、上述した「登録消去要求」を識別すると、この「登録消去要求」に含まれる識別情報で示される移動局１１８のプロファイルが自局に保持されているか否かを判別する（図１６(F))。
【０１７２】
さらに、代替候補ＶＬＲは、その判別の結果が真である場合に限って、共通線信号線１１２を介して対応する交換機宛に、この「登録消去要求」を転送する（図１６(G))。
交換機は、この「登録消去要求」を識別すると、その「登録消去要求」に含まれる識別情報に対応したプロファイルを消去する（図１７(16)) 。
【０１７３】
さらに、交換機は、このようにしてプロファイルが消去されことを意味し、この識別情報と、対応する「登録消去要求」に含まれる送信元識別子とを含む「消去完了通知」を生成すると共に、共通線信号網１１２を介して対応する代替候補ＶＬＲ宛に、その「消去完了通知」を送出する（図１７(17)) 。
【０１７４】
代替候補ＶＬＲは、その「消去完了通知」に含まれる識別情報に対応したプロファイルを消去し（図１６(H))、かつ共通線信号網１１２を介して現用系のホームメモリ局１００Ａ-2宛に、上述した「消去完了通知」を送出する（図１６(I)、図１７(18)) 。
なお、この「消去完了通知」には、送信元である代替候補ＶＬＲを示す送信元識別子が含まれる。
【０１７５】
ホームメモリ局１００Ａ-2は、既述の「消去完了通知」の何れかが与えられると、この「消去完了通知」に含まれる送信元識別子で示されるＶＬＲと従来例と同様に連係することによって、移動局１１８の位置登録にかかわる一連の処理を行う。
このように本実施形態によれば、既述の第六の実施形態に比べて、ＶＬＲ１０１Ｃ-1が代替候補ＶＬＲのとりまとめを何ら行うことなく、何れかの代替候補ＶＬＲとホームメモリ局１００Ａ-2とが直接連係することができる。
【０１７６】
したがって、移動局１１８については、既述の代替候補ＶＬＲが適正に選択され得る限り、ホームメモリ局１００Ａ-1、１００Ａ-2の再構成が如何なる時点で行われた場合であっても、安定に、かつ確度高く位置登録が行われる。
以下、本発明の第八の実施形態について説明する。
なお、本実施形態は、請求項５、１２に記載の発明に対応する。
【０１７７】
本実施形態と既述の第四ないし第七の実施形態との相違点は、ＶＬＲ１０１-1〜１０１-N、１０１Ａ-1〜１０１Ａ-N、１０１Ｂ-1〜１０１Ｂ-N、１０１Ｃ-1〜１０１Ｃ-Nが行う下記の処理と、これらのＶＬＲ１０１-1〜１０１-N、１０１Ａ-1〜１０１Ａ-N、１０１Ｂ-1〜１０１Ｂ-N、１０１Ｃ-1〜１０１Ｃ-Nに連係してホームメモリ局１００Ａ-1、１００Ａ-2が行う処理との手順にある。
【０１７８】
また、本実施形態と図７〜図１０に示す構成要素との対応関係については、ホームメモリ局１００Ａ-1、１００Ａ-2は記憶手段１１、データベース保守手段１３Ａ、呼履歴要求手段１５Ａおよび認証手段１６Ａに対応し、ＶＬＲ１０１-1〜１０１-N、１０１Ａ-1〜１０１Ａ-N、１０１Ｂ-1〜１０１Ｂ-N、１０１Ｃ-1〜１０１Ｃ-Nが履歴情報処理手段３４、３４を含んで構成される点を除いて、既述の第一ないし第七の実施形態における対応関係と同じである。
【０１７９】
以下、図７、図１２および図１３を参照して本実施形態の動作を説明する。
ＶＬＲ１０１-1〜１０１-N、１０１Ａ-1〜１０１Ａ-N、１０１Ｂ-1〜１０１Ｂ-N、１０１Ｃ-1〜１０１Ｃ-Nは、他のＶＬＲに「呼履歴カウント要求」、あるいは「登録消去要求」を送出する場合には、後述する期間の長さを延長するべき旨を示す「延長要求」を生成する。
【０１８０】
さらに、これらのＶＬＲ１０１-1〜１０１-N、１０１Ａ-1〜１０１Ａ-N、１０１Ｂ-1〜１０１Ｂ-N、１０１Ｃ-1〜１０１Ｃ-Nは、ホームメモリ局１００Ａ-1、１００Ａ-2の内、現用系として稼働しているホームメモリ局（ここでは、簡単のため、符号「１００Ａ-2」で示されると仮定する。）宛に、共通線信号網１１２を介して上述した「延長要求」を送出する（図１２(G)、図１３(E))。
【０１８１】
ホームメモリ局１００Ａ-2は、このような「延長要求」を識別すると、上述した「呼履歴カウント通知」、もしくは「登録消去要求」に応じて個々のＶＬＲによって与えられる「消去完了通知」について、待ち受けが継続して行われるべき最大の時間を規定の値、またはその「延長要求」に含まれる値に更新する。
したがって、本実施形態によれば、ホームメモリ局１００Ａ-2は、下記の場合であっても、確度高く位置登録にかかわる一連の処理を行うことができる。
【０１８２】
・  上述した「呼履歴カウント要求」や「登録消去要求」の宛先となるＶＬＲの数が多い場合
・  これらのＶＬＲ、あるいは該当するＶＬＲ相互間における情報の引き渡しに共される共通線信号網１１２が輻輳状態に陥っている場合
なお、本実施形態では、上記の「延長要求」に応じて延長され、あるいは設定されるべき時間が具体的に示されていない。
【０１８３】
しかし、このような時間については、例えば、
・  選定されたＶＬＲの数、
・  選定されたＶＬＲの相対距離の最大値、
・  選定されたＶＬＲとの間に形成された通信リンクの輻輳の程度の最大値、
・  選定されたＶＬＲとの間に形成された通信リンクの伝送速度の最小値、
・  選定されたＶＬＲの配下に形成された無線ゾーンの面積（半径であってもよい。）の最大値あるいは総和、
・  選定されたＶＬＲの配下に形成された無線ゾーンの総数
が大きいほど、大きな値に設定されてもよい。
【０１８４】
また、上述した各実施形態では、移動通信システムに本発明が適用されているが、本発明は、小ゾーン方式が適用され、かつＶＬＲ張出方式に基づいて位置登録および認証（端末の移設に応じて行われるものを含む。）が行われるならば、ＷＬＬシステムにも適用可能である。
さらに、上述した各実施形態では、適用されるべきゾーン構成、チャネル配置および多元接続方式が具体的に示されていない。
【０１８５】
しかし、本発明は、これらのゾーン構成、チャネル配置および多元接続方式の如何にかかわらず、上述した位置登録および認証が行われるならば、如何なる無線伝送系にも適用可能である。
また、上述した各実施形態では、個々のＶＬＲが単一の交換機と対をなす装置として構成されている。
【０１８６】
しかし、本発明では、何れのＶＬＲについても、複数の交換機に共通の装置として構成され、あるいは単一の交換機に内蔵され、あるいは一体化されたパッケージやモジュールとして構成されてもよい。
さらに、上述した各実施形態では、「呼履歴カウント要求」および「登録消去要求」が宛先となるべきＶＬＲ宛に個別に送出されている。
【０１８７】
しかし、これらの「呼履歴カウント要求」および「登録消去要求」については、宛先となるべきＶＬＲの数が複数である場合には、個々のＶＬＲによって送出される「呼履歴カウント通知」や「消去完了通知」の送信元の識別が受信端において確実に行われるならば、これらのＶＬＲに対して同報伝送（マルチキャスト）されてもよい。
【０１８８】
また、上述した各実施形態では、「呼履歴カウント」は、何れの移動局についても、実際に生起した呼の数として与えられている。
しかし、これらの「呼履歴カウント」については、認証の精度の向上に供される情報であるならば、例えば、実際に生起した呼の属性等の組み合わせや列からなる履歴として与えられてもよい。
【０１８９】
さらに、上述した各実施形態では、代替ＶＬＲ、代替候補ＶＬＲの選定に際して適用されるべき基準が具体的に示されていない。
しかし、このような基準についは、例えば、
・  互いに隣接する位置登録エリア、
・  相対距離の昇順に優先的に選定された位置登録エリア、
・  該当する移動局、あるいは所定の属性毎に区分された移動局の群毎に実際に位置した実績がある位置登録エリアの履歴に基づいて、所望の時間帯（曜日等を含む。）毎に位置し得る確率が高い位置登録エリア、
・  該当する移動局にかかわる速度の計測あるいは測位の結果に基づいて予測された位置を含む位置登録エリア、
・  上記の各位置登録エリアの内、該当する移動局が位置し得る道路、鉄道その他の軌道、あるいは地点の地理的位置や分布に基づいてその移動局が位置する可能性が最も高い位置登録エリア
その他の如何なる基準であってもよい。
【０１９０】
また、上述した各実施形態では、認証を伴う位置登録を達成するために行われるべき処理の手順が記載されている。
しかし、本発明は、このような位置登録の試行に応じて生起した呼に限定されず、認証や位置情報の参照が行われる発信呼や着信呼の呼設定と、その呼設定の過程で行われるチャネル制御との双方あるいは何れか一方の過程で行われる処理として実現されてもよい。
【０１９１】
さらに、上述した各実施形態では、ホームメモリ局によって行われる認証が完了した後にそのホームメモリ局とＶＬＲとによって行われるべき処理の手順が示されている。
しかし、このような処理の手順については、適用されたゾーン構成やチャネル配置だけではなく、無線基地局、交換機、ＶＬＲおよびホームメモリ局によって行われるべき処理の機能や負荷の分散の形態によって異なるが、本発明は、これらの如何にかかわらず適用が可能である。
【０１９２】
【発明の効果】
上述したように請求項１、２に記載の発明では、本発明にかかわるホームメモリノード装置が現用系として稼働を開始したときに、先行して現用系として稼働していた他のホームメモリノード装置の障害等に起因して、記憶手段に保持されている位置情報や認証情報が現状と整合しない場合であっても、その位置情報や認証情報の修復が図られる契機が与えられ、かつ確度高く位置登録や認証が行われる。
【０１９３】
また、請求項３に記載の発明では、請求項１、２に記載の発明に比べて認証を含む呼設定が確度高く行われる。
さらに、請求項４に記載の発明では、位置登録が行われるべき端末が位置していない位置登録エリアを形成するＶＬＲに対して既得履歴情報が要求されることに起因する無用な資源の消費と、チャネル制御および呼設定の効率の低下とに併せて、応答性およびサービス品質の低下とが回避される。
【０１９４】
また、請求項５に記載の発明では、既得履歴情報が要求され得るＶＬＲと、これらのＶＬＲの相互間で引き渡されるべき情報の情報量との双方あるいは何れか一方が多く、あるいはその情報の引き渡しに要する時間が輻輳その他に起因して長い場合であっても、認証を伴う呼設定が確度高く行われる。
さらに、請求項６に記載の発明では、ホームメモリノード装置によって行われるべき処理の手順が変更されることなく、確度高く認証が行われる。
【０１９５】
また、請求項７に記載の発明では、再構成が行われる時点の如何にかかわらず、負荷が軽減され、かつ確度高く認証が行われる。
さらに、請求項８、９に記載の発明では、ホームメモリ局の負荷の削減に併せて、認証の効率および確度の向上が図られる。
また、請求項１０、１１に記載の発明では、ホームメモリ局の負荷の削減に併せて、呼処理の効率および確度の向上が図られる。
【０１９６】
さらに、請求項１２に記載の発明では、ＶＬＲ相互間で引き渡されるべき履歴情報要求その他の情報の情報量、あるいはこれらの情報の宛先となるべきＶＬＲの数が多い場合であっても、認証を伴う呼処理が正常に行われるために要する時間が確保される。
また、請求項１３に記載の発明では、現用ホームメモリ局の負荷と、その現用ホームメモリ局との間で引き渡されるべき情報の情報量とが削減され、かつ呼処理の効率化とサービス品質の向上とが図られる。
【０１９７】
さらに、請求項１４、１５に記載の発明では、ホームメモリノード装置や特定のＶＬＲに負荷が集中することなく、効率的に認証が行われる。
また、請求項１６に記載の発明では、ホームメモリ局の負荷が軽減され、かつ呼処理が確度高く、効率的に行われる。
【０１９８】
したがって、これらの発明が適用された移動通信システムでは、ホームメモリ局の冗長構成が有効に活用されることによって、ランニングコストの削減と、保守および運用にかかわる作業の効率化と省力化とが図られ、かつ総合的な信頼性およびサービス品質が高められる。
【図面の簡単な説明】
【図１】請求項１、３〜７に記載の発明の原理ブロック図である。
【図２】請求項２、３に記載の発明の原理ブロック図である。
【図３】請求項８、９、１２に記載の発明の原理ブロック図である。
【図４】請求項１０〜１２に記載の発明の原理ブロック図である。
【図５】請求項１３、１５に記載の発明の原理ブロック図である。
【図６】請求項１４、１６に記載の発明の原理ブロック図である。
【図７】本発明の実施形態を示す図である。
【図８】本発明の第一ないし第三および第六の実施形態の動作フローチャートである。
【図９】本発明の第一および第三の実施形態の動作を説明する図である。
【図１０】本発明の第四および第八の実施形態の動作フローチャートである。
【図１１】本発明の第四および第八の実施形態の動作を説明する図である。
【図１２】本発明の第五の実施形態の動作フローチャートである。
【図１３】本発明の第五の実施形態の動作を説明する図である。
【図１４】本発明の第六の実施形態の動作フローチャートである。
【図１５】本発明の第六の実施形態の動作を説明する図である。
【図１６】本発明の第七の実施形態の動作フローチャートである。
【図１７】本発明の第七の実施形態の動作を説明する図である。
【図１８】ＶＬＲ張出方式が適用された移動通信システムの構成例を示す図である。
【図１９】従来例における位置登録の過程を示す図である。
【図２０】従来例におけるホームメモリ局の動作フローチャートである。
【図２１】従来例の動作を説明する図である。
【図２２】従来例におけるＶＬＲの動作フローチャートである。
【符号の説明】
１０，３０  端末
１１，１１Ａ，３１，４１  記憶手段
１２，３２，４２  ホームメモリノード装置
１３，１３Ｂ，２１，３５，３５Ａ，３５Ｂ，４５，４５Ａ  データベース保守手段
１４，１４Ａ，５２，１０１，１０１Ａ，１０１Ｂ，１０１Ｃ，１１４  ＶＬＲ
１５，１５Ａ，１５Ｂ  呼履歴要求手段
１６，１６Ａ，１６Ｂ  認証手段
２２  位置情報整合要求手段
２３  交換局
２５  待機要求手段
３３，３３Ａ，４３，４３Ａ  判別手段
３４，３４Ａ，３４Ｂ，４４，４４Ａ，４４Ｂ  履歴情報処理手段
５１  他のＶＬＲ
１００，１００Ａ，１１０  ホームメモリ局
１１１，１１５  通信リンク
１１２  共通線信号網
１１３  交換機
１１６  無線基地局
１１７  無線ゾーン
１１８  移動局
【図１】
0004298870.tif 000002
【図２】
0004298870.tif 000003
【図３】
0004298870.tif 000004
【図４】
0004298870.tif 000005
【図５】
0004298870.tif 000006
【図６】
0004298870.tif 000007
【図７】
0004298870.tif 000008
【図８】
0004298870.tif 000009
【図９】
0004298870.tif 000010
【図１０】
0004298870.tif 000011
【図１１】
0004298870.tif 000012
【図１２】
0004298870.tif 000013
【図１３】
0004298870.tif 000014
【図１４】
0004298870.tif 000015
【図１５】
0004298870.tif 000016
【図１６】
0004298870.tif 000017
【図１７】
0004298870.tif 000018
【図１８】
0004298870.tif 000019
【図１９】
0004298870.tif 000020
【図２０】
0004298870.tif 000021
【図２１】
0004298870.tif 000022
【図２２】
0004298870.tif 000023